(57)【要約】【課題】本発明は、発色層の重なり順の違いをカラープルーフにおいて識別することの可能な画像記録装置を提供する。【解決手段】各色分解網原稿の網点画像データに基づいて、複数の発色層が積層してなる感光材料を、波長の異なる光を発する複数の各光源により露光することで画像を記録する画像記録装置である。前記感光材料の発色層の重ね順を規定する前記網点画像データの色版印刷順に基づいて、前記複数の光源の発するべき各光量値を算出する算出手段を有する。さらに、前記算出手段にて算出された各光量値に基づいて、前記複数の各光源の出力を各々調整する制御を行う制御手段を含む。【選択図】  図４
2004170493.tif 000002
【特許請求の範囲】
【請求項１】
各色分解網原稿の網点画像データに基づいて、複数の発色層が積層してなる感光材料を、波長の異なる光を発する複数の各光源により露光することで画像を記録する画像記録装置であって、
前記網点画像データの色版印刷順に基づいて、前記複数の光源の発するべき各光量値を演算する演算手段と、
前記演算手段にて算出された各光量値に基づいて、前記複数の各光源の出力を各々調整する制御を行う制御手段と、
を含むことを特徴とする画像記録装置。
【請求項２】
各色分解網原稿の網点画像データに基づいて、複数の発色層が積層してなる感光材料と、波長の異なる光を発する複数の各光源により露光することで画像を記録する画像記録装置であって、
前記網点画像データの色版印刷順と、前記複数の光源の発するべき各光量値との相関関係を定義した印刷順テーブルに関する情報を格納した情報格納手段と、
前記色版印刷順に基づいて、前記情報格納手段の前記印刷順テーブルを参照しながら対応する各前記光量値を算出して前記複数の各光源の露光量を各々調整制御する制御手段と、
を含むことを特徴とする画像記録装置。
【請求項３】
前記網点画像データの色版印刷順を設定する順序設定手段をさらに有し、
前記制御手段は、前記順序設定手段にて指定された前記色版印刷順に基づいて、前記複数の各光源の露光量を各々調整制御することを特徴とする請求項１又は請求項２に記載の画像記録装置。
【請求項４】
前記印刷順テーブルは、前記感光材料がダイレクトポジ方式である場合に利用される、前記光量値を規定したポジ式のテーブルを含み、
前記制御手段は、前記感光材料が前記ダイレクトポジ方式である場合に、前記ポジ式のテーブルに基づいて複数の前記光源の露光量を調整制御することを特徴とする請求項２に記載の画像記録装置。
【請求項５】
前記印刷順テーブルは、前記感光材料がネガ方式である場合に利用される、前記光量値を規定したネガ式のテーブルを含み、
前記制御手段は、前記感光材料が前記ネガ方式である場合に、前記ネガ式のテーブルに基づいて複数の前記光源の露光量を調整制御することを特徴とする請求項２に記載の画像記録装置。
【請求項６】
前記感光材料のネガ方式若しくはダイレクトポジ方式に応じて、当該方式がいずれであるのかを設定する感光材料方式設定手段をさらに有し、
前記制御手段は、前記露光量を調整制御するにあたり、前記感光材料方式設定手段にて設定された方式に基づいて前記ネガ式のテーブル若しくは前記ポジ式のテーブルを切換制御して複数の前記光源の露光量を調整制御することを特徴とする請求項４又は請求項５に記載の画像記録装置。
【請求項７】
前記順序設定手段は、前記網点画像データの色版であるＹ、Ｍ、Ｃ、Ｋの各版の印刷順に対応した、前記複数の光源の発するべき各光量値を各々設定入力可能な設定画面を含み、
前記制御手段は、前記設定画面にて入力された値に基づいて、前記露光量を調整制御することを特徴とする請求項３に記載の画像記録装置。
【請求項８】
前記順序設定手段は、予め露光条件と印刷順との関係をチャンネル化して前記チャンネル指定を可能に形成されることを特徴とする請求項３に記載の画像記録装置。
【請求項９】
各色分解網原稿の網点画像データに基づいて、複数の発色層からなる感光材料を、波長の異なる光を発する複数の各光源により露光して画像を記録する画像記録装置であって、
前記網点画像データの色版印刷順を設定するための順序設定手段と、
指定された色版印刷順に基づいて、前記各光源による露光条件を変更制御する制御手段と、
を含むことを特徴とする画像記録装置。
【請求項１０】
前記制御手段は、前記順序設定手段にて設定された色版印刷順に基づいて、前記複数の光源の発するべき各光量値の組み合わせを算出し、露光される前記複数の光源の露光量の出力を調整する制御を行うことを特徴とする請求項９に記載の画像記録装置。
【請求項１１】
前記制御手段は、前記順序設定手段にて設定された色版印刷順に基づいて、対応する前記感光材料の前記発色層の各濃度を算出し、この濃度により前記複数の光源の露光量の調整制御を行うことを特徴とする請求項９に記載の画像記録装置。
【請求項１２】
各色分解網原稿の網点画像データを面順次に画像記録装置に転送して、複数の発色層が積層してなる感光材料を、波長の異なる複数の光を露光することによりカラープルーフを得るための前記画像記録装置を管理する管理装置であって、
前記網点画像データの色版印刷順と、前記複数の光源の発するべき各光量値との相関関係を定義した印刷順テーブルに関する情報を格納した情報格納手段と、
前記色版印刷順に基づいて、前記情報格納手段の前記印刷順テーブルを参照しながら対応する各前記光量値を演算処理する演算手段と、
前記演算手段にて演算された前記各光量値に関する情報を前記画像記録装置に対して転送するように制御する管理制御手段と、
を含むことを特徴とする管理装置。
【請求項１３】
前記網点画像データの色版印刷順を設定する順序設定手段をさらに有し、
前記演算手段は、前記順序設定手段にて指定された前記色版印刷順に基づいて、前記複数の各光源の露光量を各々算出することを特徴とする請求項１２に記載の管理装置。
【請求項１４】
前記印刷順テーブルは、前記感光材料がダイレクトポジ方式である場合に利用される、前記光量値を規定したポジ式のテーブルを含み、
前記演算手段は、前記感光材料が前記ダイレクトポジ方式である場合に、前記ポジ式のテーブルに基づいて複数の前記光源の露光量を算出することを特徴とする請求項１２に記載の管理装置。
【請求項１５】
前記印刷順テーブルは、前記感光材料がネガ方式である場合に利用される、前記光量値を規定したネガ式のテーブルを含み、
前記演算手段は、前記感光材料が前記ネガ方式である場合に、前記ネガ式のテーブルに基づいて複数の前記光源の露光量を算出することを特徴とする請求項１２に記載の管理装置。
【請求項１６】
前記感光材料のネガ方式若しくはダイレクトポジ方式に応じて、当該方式がいずれであるのかを設定する感光材料方式設定手段をさらに有し、
前記演算手段は、前記感光材料方式設定手段にて設定された方式に基づいて前記ネガ式のテーブル若しくは前記ポジ式のテーブルを切換制御して複数の前記光源の露光量を演算することを特徴とする請求項１４又は請求項１５に記載の管理装置。
【請求項１７】
前記順序設定手段は、前記網点画像データの色版であるＹ、Ｍ、Ｃ、Ｋの各版の印刷順に対応した、前記複数の光源の発するべき各光量値を各々設定入力可能な設定画面を含み、
前記制御手段は、前記設定画面にて入力された値に基づいて、前記露光量を調整制御することを特徴とする請求項１３に記載の管理装置。
【請求項１８】
前記順序設定手段は、予め露光条件と印刷順との関係をチャンネル化して前記チャンネル指定を可能に形成されることを特徴とする請求項１３に記載の管理装置。
【請求項１９】
請求項１乃至請求項１１のうちいずれか一項に記載の一又は複数の画像記録装置と、
前記画像記録装置と通信網を介して通信可能に形成され、請求項１２乃至請求項１８のうちいずれか一項に記載の一又は複数の管理装置と、
を含むことを特徴とするカラープルーフ作成システム。
【請求項２０】
画像を編集する画像編集用の一又は複数の情報端末と、
複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、
前記画像処理装置と前記通信網を介して通信可能とされ、前記各色版データに基づいて、カラープルーフを各々作成出力する、請求項１乃至請求項１１のうちいずれか一項に記載の一又は複数の画像記録装置と、
を含むことを特徴とするカラープルーフ作成システム。
【請求項２１】
画像を編集する画像編集用の一又は複数の情報端末と、
複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、
前記画像処理装置と前記通信網を介して通信可能とされ、前記各色版データに基づいて、カラープルーフを各々作成出力する、請求項１乃至請求項１１のうちいずれか一項に記載の一又は複数の画像記録装置と、
前記画像記録装置と前記通信網を介して通信可能とされ、前記画像記録装置を管理するホストと、
を含むことを特徴とするカラープルーフ作成システム。
【請求項２２】
画像を編集する画像編集用の一又は複数の情報端末を含むデザインシステムと、
複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置とを含むフロントシステムと、
前記画像処理装置と前記通信網を介して通信可能とされ、前記各色版データに基づいて、カラープルーフを各々作成出力する、請求項１乃至請求項１１のうちいずれか一項に記載の一又は複数の画像記録装置と、
前記画像記録装置と前記通信網を介して通信可能とされ、前記画像記録装置を管理する一又は複数のサブホストを含むホストシステムと、
前記サブホストと前記通信網を介して通信可能とされ、前記サブホストを管理する一又は複数のホストを含むセンターシステムと、
を含むことを特徴とするカラープルーフ作成システム。
【請求項２３】
画像編集された画像編集ファイルを受付るとともに、前記画像編集ファイルの複数色よりなる少なくとも一つの画像データを展開分版して少なくとも１組の各色版データとし、この各色版データを面順次で複数のうち少なくとも一つの画像記録装置に転送し、前記画像記録装置からカラープルーフを出力するカラープルーフ作成システムであって、
前記画像記録装置にて出力される各色版データの出力描画順序に応じて、露光量を調整制御する制御手段を含むことを特徴とするカラープルーフ作成システム。
【請求項２４】
前記制御手段は、前記画像記録装置より出力される前記記録材の種類に応じて、露光量が調整制御されることを特徴とする請求項２３に記載のカラープルーフ作成システム。
【請求項２５】
画像編集された画像編集ファイルを受付るとともに、前記画像編集ファイルの複数色よりなる少なくとも一つの画像データを展開分版して少なくとも１組の各色版データとし、この各色版データを面順次で画像記録装置に転送し、前記画像記録装置から各色版データでカラープルーフを出力するカラープルーフ作成システムであって、
前記画像記録装置にて出力される前記各色版データの出力描画順序を設定する順序設定手段と、
前記順序設定手段にて設定された設定情報に基づき、前記画像記録装置にて出力される露光量を制御する制御手段と、
を含むことを特徴とするカラープルーフ作成システム。
【請求項２６】
画像を編集する画像編集用の複数の情報端末と、
複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、
前記画像処理装置と前記通信網を介して通信可能とされ、前記各色版データに基づいて、カラープルーフを各々作成出力する複数の画像記録装置と、
を含み、
前記画像処理装置は、前記画像記録装置にて出力される各色版データの出力描画順序に応じて、露光量を調整制御する制御手段を含むことを特徴とするカラープルーフ作成システム。
【請求項２７】
画像編集された画像編集ファイルを受付るとともに、前記画像編集ファイルの複数色よりなる少なくとも一つの画像データを展開分版して少なくとも１組の各色版データとし、この各色版データを面順次で画像記録装置に転送し、前記画像記録装置から基材と各色版データとでカラープルーフを出力する処理を行う情報処理方法であって、
前記画像記録装置にて出力される各色版データの出力描画順序に応じて、露光量を調整制御するステップを含むことを特徴とする情報処理方法。
【請求項２８】
請求項２７に記載の情報処理方法をコンピュータにおいて実行させるためのプログラム。
【請求項２９】
コンピュータにより読み出し可能な、請求項２８に記載のプログラムを記録した情報記録媒体。
【請求項３０】
各色分解網原稿の網点画像データに基づいて、複数の発色層が積層してなる感光材料を、波長の異なる光を発する複数の各光源により露光することで画像を記録する画像記録装置によりカラープルーフを作成するための画像処理を行うプログラムが記録されたコンピュータ可読媒体を有するコンピュータプログラム製品であって、
前記網点画像データの色版印刷順と、前記複数の光源の発するべき各光量値との相関関係を定義した印刷順テーブルに関する情報を格納した情報格納手段と、
前記色版印刷順に基づいて、前記情報格納手段の前記印刷順テーブルを参照しながら対応する各前記光量値を算出して前記複数の各光源の露光量を各々調整制御する制御手段と、
を含むことを特徴とするコンピュータプログラム製品。
【請求項３１】
前記コンピュータ可読媒体は、フロッピー（登録商標）ディスク、ハードディスク、光ディスク、光磁気ディスク、メモリ装置、ネットワーク化資源、不揮発性メモリカードから選択されることを特徴とする請求項３０に記載のコンピュータプログラム製品。
【発明の詳細な説明】
【０００１】
【発明の属する技術分野】
本発明は、画像記録装置、管理装置、カラープルーフ作成システム、情報処理方法、その方法を実行させるためのプログラム、プログラムを記録した情報記録媒体、及びコンピュータプログラム製品に関し、特に、ＲＩＰ（ラスター・イメージ・プロセッサ）または網点変換処理装置で処理された網点画像データに基づき、波長の異なる複数の光源によってカラー感光材料を感光させることで、印刷物の仕上がりを事前に確認するためのカラープルーフを作成するものに関する。
【０００２】
【従来の技術】
一般に、カラー印刷物を作成する際には、原稿フィルムの段階で色校正を行うことが必要とされる場合があり、このような場合には、Ｃ（シアン）版、Ｍ（マゼンタ）版、Ｙ（イエロー）版、及び、Ｋ（ブラック）版に色分解された各色分解網原稿フィルムを使って校正物（カラープルーフ）を作成し、本番の印刷版を作成する前に、原稿フィルムのレイアウトに間違いがないか、色の間違いがないか、文字の間違いがないか等を検査し、印刷物の仕上がりを事前に確認するようにしている。
【０００３】
さらに、近年においては、ＤＴＰ（Ｄｅｓｋ  Ｔｏｐ  Ｐｕｂｌｉｓｈｉｎｇ）等の普及により、スキャナから入力した画像をコンピュータのソフトウェア上で画像編集、ページ面付けする作業が一般化し、フルデジタルでの編集も珍しくなくなってきている。
【０００４】
このような工程では、さらなる効率化を目指して、フィルムにページ編集済みの画像データを直接出力するイメージセッタ出力や、印刷版に直接画像記録を行うＣＴＰ（Ｃｏｍｐｕｔｅｒ  ｔｏ  Ｐｌａｔｅ）出力、さらには印刷機のシリンダー上に巻かれた印刷版に直接画像記録を行うＣＴＣ（Ｃｏｍｐｕｔｅｒ  ｔｏ  Ｃｙｌｉｎｄｅｒ）が行われる。
【０００５】
この場合、校正確認の為だけに一端フィルム出力や印刷版出力を行い、印刷校正や、その他の校正材料による校正を行うことは、フィルム、印刷版の無駄や余計な作業が多くなる問題がある。
【０００６】
その為、特に、このようなコンピュータによるフルデジタルの画像作成、編集を行う工程では、カラープルーフの作成は、ＤＤＣＰ（Ｄｉｒｅｃｔ  Ｄｉｇｉｔａｌ  Ｃｏｌｏｒ  Ｐｒｏｏｆ）、乃至は、ＤＣＰ（Ｄｉｇｉｔａｌ  Ｃｏｌｏｒ  Ｐｒｏｏｆ）と呼ばれる直接カラー画像出力を行うシステムが求められている。
【０００７】
このようなＤＤＣＰは、コンピュータ上で加工されたデジタル画像データからイメージセッタなどで製版用フィルム上に記録したり、ＣＴＰで直接印刷版を作成する最終的な印刷作業を行ったり、ＣＴＣで印刷のシリンダー上に巻かれた印刷版に直接画像記録を行ったり等する前に、コンピュータ上で加工されたデジタル画像が示す出力対象を再現するカラープルーフを作成し、その絵柄、色調、文章文字等の確認を行うものである。
【０００８】
また、このような印刷工程における校正のプロセスでは、１）作業現場内部のミスの確認、即ち内校、２）発注主、デザイナーへの仕上がり確認用に提出される外校、３）印刷機の機長に対して、最終印刷物の見本として提供される印刷見本、の主として３つの用途にプルーフが作成／使用される。
【０００９】
この際、内部の確認用、及び、一部の外校用途においては、納期短縮、コスト削減等のニーズから、網点画像再現ができない校正材料、即ち、昇華転写方式による校正や、インクジェット、電子写真などの出力物を主として体裁確認用の校正として使用するケースがあり、一方、ハイライト部の再現性や、細かいディテールの確認、印刷時のモアレと呼ばれる網画像の不適切な干渉縞の確認のニーズに対しては、ハイパワーヒートモードレーザーを用いて、感光材料に画像露光を行い、印刷本紙に転写するタイプのＤＤＣＰがある。しかし、このようなシステムでは、装置及び感光材料のコストが高くなる欠点があった。
【００１０】
これに対し、近年、低コストで更に網点画像の確認ができる、銀塩カラー感光材料を利用したＤＤＣＰ（以下、カラープルーフ作成装置と称する。）が普及し始めている。銀塩カラー感光材料を利用した方式は、例えば、ＲＧＢ等の波長の異なる複数の光の組み合わせからなる光点を露光して、上述したＣＭＹＫの各ドットを発色させ、網点画像を形成するものである。
【００１１】
【特許文献１】
特開平９−９０５２８（段落［０００４］、段落［００２４］−［００３０］、図５、図６）
【００１２】
【発明が解決しようとする課題】
ところで、実際の印刷機では、各色版の印刷順序が異なると、インクの透明度が異なるため、例えばＣ→Ｙ→Ｍの順で印刷した場合と、Ｙ→Ｃ→Ｍの順で印刷した場合とで色調が微妙に異なった印刷物となる。
【００１３】
しかしながら、従来のＤＣＣＰにおいては、再現色単位で露光条件が設定されていたために、順序が異なっていたとしても、同じ色調のものとして認識されており、重なり順による色調の違いをカラープルーフにおいて識別することができなかった。
【００１４】
本発明は、上記事情に鑑みてなされたものであり、その目的とするところは、色版の刷り重ね順による色調の相違をカラープルーフにおいて識別することの可能な画像記録装置、管理装置、カラープルーフ作成システム、情報処理方法、その方法を実行させるためのプログラム、プログラムを記録した情報記録媒体、及びコンピュータプログラム製品を提供することにある。
【００１５】
【課題を解決するための手段】
上記目的を達成するために、請求項１に記載の発明に係る画像記録装置は、各色分解網原稿の網点画像データに基づいて、複数の発色層が積層してなる感光材料を、波長の異なる光を発する複数の各光源により露光することで画像を記録する画像記録装置であって、前記網点画像データの色版印刷順に基づいて、前記複数の光源の発するべき各光量値を演算する演算手段と、前記演算手段にて算出された各光量値に基づいて、前記複数の各光源の出力を各々調整する制御を行う制御手段と、を含むことを特徴としている。
【００１６】
また、上記目的を達成するために、請求項２に記載の発明に係る画像記録装置は、各色分解原稿の網点画像データに基づいて、複数の発色層が積層してなる感光材料と、波長の異なる光を発する複数の各光源により露光することで画像を記録する画像記録装置であって、前記網点画像データの色版印刷順と、前記複数の光源の発するべき各光量値との相関関係を定義した印刷順テーブルに関する情報を格納した情報格納手段と、前記色版印刷順に基づいて、前記情報格納手段の前記印刷順テーブルを参照しながら対応する各前記光量値を算出して前記複数の各光源の露光量を各々調整制御する制御手段と、を含むことを特徴としている。
【００１７】
また、上記目的を達成するために、請求項３に記載の発明に係る画像記録装置は、前記網点画像データの色版印刷順を設定する順序設定手段をさらに有し、前記制御手段は、前記順序設定手段にて指定された前記色版印刷順に基づいて、前記複数の各光源の露光量を各々調整制御することを特徴としている。
【００１８】
また、上記目的を達成するために、請求項４に記載の発明に係る画像記録装置は、前記印刷順テーブルは、前記感光材料がダイレクトポジ方式である場合に利用される、前記光量値を規定したポジ式のテーブルを含み、前記制御手段は、前記感光材料が前記ダイレクトポジ方式である場合に、前記ポジ式のテーブルに基づいて複数の前記光源の露光量を調整制御することを特徴としている。
【００１９】
また、上記目的を達成するために、請求項５に記載の発明に係る画像記録装置は、前記印刷順テーブルは、前記感光材料がネガ方式である場合に利用される、前記光量値を規定したネガ式のテーブルを含み、前記制御手段は、前記感光材料が前記ネガ方式である場合に、前記ネガ式のテーブルに基づいて複数の前記光源の露光量を調整制御することを特徴としている。
【００２０】
また、上記目的を達成するために、請求項６に記載の発明に係る画像記録装置は、前記感光材料のネガ方式若しくはダイレクトポジ方式に応じて、当該方式がいずれであるのかを設定する感光材料方式設定手段をさらに有し、前記制御手段は、前記露光量を調整制御するにあたり、前記感光材料方式設定手段にて設定された方式に基づいて前記ネガ式のテーブル若しくは前記ポジ式のテーブルを切換制御して複数の前記光源の露光量を調整制御することを特徴としている。
【００２１】
また、上記目的を達成するために、請求項７に記載の発明に係る画像記録装置は、前記順序設定手段は、前記網点画像データの色版であるＹ、Ｍ、Ｃ、Ｋの各版の印刷順に対応した、前記複数の光源の発するべき各光量値を各々設定入力可能な設定画面を含み、前記制御手段は、前記設定画面にて入力された値に基づいて、前記露光量を調整制御することを特徴としている。
【００２２】
また、上記目的を達成するために、請求項８に記載の発明に係る画像記録装置は、前記順序設定手段は、予め露光条件と印刷順との関係をチャンネル化して前記チャンネル指定を可能に形成されることを特徴としている。
【００２３】
また、上記目的を達成するために、請求項９に記載の発明に係る画像記録装置は、各色分解網原稿の網点画像データに基づいて、複数の発色層からなる感光材料を、波長の異なる光を発する複数の各光源により露光して画像を記録する画像記録装置であって、前記網点画像データの色版印刷順を設定するための順序設定手段と、指定された色版印刷順に基づいて、前記各光源による露光条件を変更制御する制御手段と、を含むことを特徴としている。
【００２４】
また、上記目的を達成するために、請求項１０に記載の発明に係る画像記録装置は、前記制御手段は、前記順序設定手段にて設定された色版印刷順に基づいて、前記複数の光源の発するべき各光量値の組み合わせを算出し、露光される前記複数の光源の露光量の出力を調整する制御を行うことを特徴としている。
【００２５】
また、上記目的を達成するために、請求項１１に記載の発明に係る画像記録装置は、前記制御手段は、前記順序設定手段にて設定された色版印刷順に基づいて、対応する前記感光材料の前記発色層の各濃度を算出し、この濃度により前記複数の光源の露光量の調整制御を行うことを特徴としている。
【００２６】
また、上記目的を達成するために、請求項１２に記載の発明に係る管理装置は、各色分解網原稿の網点画像データを面順次に画像記録装置に転送して、複数の発色層が積層してなる感光材料を、波長の異なる複数の光を露光することによりカラープルーフを得るための前記画像記録装置を管理する管理装置であって、前記網点画像データの色版印刷順と、前記複数の光源の発するべき各光量値との相関関係を定義した印刷順テーブルに関する情報を格納した情報格納手段と、前記色版印刷順に基づいて、前記情報格納手段の前記印刷順テーブルを参照しながら対応する各前記光量値を演算処理する演算手段と、前記演算手段にて演算された前記各光量値に関する情報を前記画像記録装置に対して転送するように制御する管理制御手段と、を含むことを特徴としている。
【００２７】
また、上記目的を達成するために、請求項１３に記載の発明に係る管理装置は、前記網点画像データの色版印刷順を設定する順序設定手段をさらに有し、前記演算手段は、前記順序設定手段にて指定された前記色版印刷順に基づいて、前記複数の各光源の露光量を各々算出することを特徴としている。
【００２８】
また、上記目的を達成するために、請求項１４に記載の発明に係る管理装置は、前記印刷順テーブルは、前記感光材料がダイレクトポジ方式である場合に利用される、前記光量値を規定したポジ式のテーブルを含み、前記演算手段は、前記感光材料が前記ダイレクトポジ方式である場合に、前記ポジ式のテーブルに基づいて複数の前記光源の露光量を算出することを特徴としている。
【００２９】
また、上記目的を達成するために、請求項１５に記載の発明に係る管理装置は、前記印刷順テーブルは、前記感光材料がネガ方式である場合に利用される、前記光量値を規定したネガ式のテーブルを含み、前記演算手段は、前記感光材料が前記ネガ方式である場合に、前記ネガ式のテーブルに基づいて複数の前記光源の露光量を算出することを特徴としている。
【００３０】
また、上記目的を達成するために、請求項１６に記載の発明に係る管理装置は、前記感光材料のネガ方式若しくはダイレクトポジ方式に応じて、当該方式がいずれであるのかを設定する感光材料方式設定手段をさらに有し、前記演算手段は、前記感光材料方式設定手段にて設定された方式に基づいて前記ネガ式のテーブル若しくは前記ポジ式のテーブルを切換制御して複数の前記光源の露光量を演算することを特徴としている。
【００３１】
また、上記目的を達成するために、請求項１７に記載の発明に係る管理装置は、前記順序設定手段は、前記網点画像データの色版であるＹ、Ｍ、Ｃ、Ｋの各版の印刷順に対応した、前記複数の光源の発するべき各光量値を各々設定入力可能な設定画面を含み、前記制御手段は、前記設定画面にて入力された値に基づいて、前記露光量を調整制御することを特徴としている。
【００３２】
また、上記目的を達成するために、請求項１８に記載の発明に係る管理装置は、前記順序設定手段は、予め露光条件と印刷順との関係をチャンネル化して前記チャンネル指定を可能に形成されることを特徴としている。
【００３３】
また、上記目的を達成するために、請求項１９に記載の発明に係るカラープルーフ作成システムは、上述のうちいずれかに記載の一又は複数の画像記録装置と、前記画像記録装置と通信網を介して通信可能に形成され、上述のうちいずれかに記載の一又は複数の管理装置とを含むことを特徴としている。
【００３４】
また、上記目的を達成するために、請求項２０に記載の発明に係るカラープルーフ作成システムは、画像を編集する画像編集用の一又は複数の情報端末と、複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、前記画像処理装置と前記通信網を介して通信可能とされ、前記各色版データに基づいて、カラープルーフを各々作成出力する、上述のいずれかに記載の一又は複数の画像記録装置とを含むことを特徴としている。
【００３５】
また、上記目的を達成するために、請求項２１に記載の発明に係るカラープルーフ作成システムは、画像を編集する画像編集用の一又は複数の情報端末と、複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、前記画像処理装置と前記通信網を介して通信可能とされ、前記各色版データに基づいて、カラープルーフを各々作成出力する、上述のいずれかに記載の一又は複数の画像記録装置と、前記画像記録装置と前記通信網を介して通信可能とされ、前記画像記録装置を管理するホストと、を含むことを特徴としている。
【００３６】
また、上記目的を達成するために、請求項２２に記載の発明に係るカラープルーフ作成システムは、画像を編集する画像編集用の一又は複数の情報端末を含むデザインシステムと、複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置とを含むフロントシステムと、前記画像処理装置と前記通信網を介して通信可能とされ、前記各色版データに基づいて、カラープルーフを各々作成出力する、上述のいずれかに記載の一又は複数の画像記録装置と、前記画像記録装置と前記通信網を介して通信可能とされ、前記画像記録装置を管理する一又は複数のサブホストを含むホストシステムと、前記サブホストと前記通信網を介して通信可能とされ、前記サブホストを管理する一又は複数のホストを含むセンターシステムと、を含むことを特徴としている。
【００３７】
また、上記目的を達成するために、請求項２３に記載の発明に係るカラープルーフ作成システムは、画像編集された画像編集ファイルを受付るとともに、前記画像編集ファイルの複数色よりなる少なくとも一つの画像データを展開分版して少なくとも１組の各色版データとし、この各色版データを面順次で複数のうち少なくとも一つの画像記録装置に転送し、前記画像記録装置からカラープルーフを出力するカラープルーフ作成システムであって、前記画像記録装置にて出力される各色版データの出力描画順序に応じて、露光量を調整制御する制御手段を含むことを特徴としている。
【００３８】
また、上記目的を達成するために、請求項２４に記載の発明に係るカラープルーフ作成システムは、前記制御手段は、前記画像記録装置より出力される前記記録材の種類に応じて、露光量が調整制御されることを特徴としている。
【００３９】
また、上記目的を達成するために、請求項２５に記載の発明に係るカラープルーフ作成システムは、画像編集された画像編集ファイルを受付るとともに、前記画像編集ファイルの複数色よりなる少なくとも一つの画像データを展開分版して少なくとも１組の各色版データとし、この各色版データを面順次で画像記録装置に転送し、前記画像記録装置から各色版データでカラープルーフを出力するカラープルーフ作成システムであって、前記画像記録装置にて出力される前記各色版データの出力描画順序を設定する順序設定手段と、前記順序設定手段にて設定された設定情報に基づき、前記画像記録装置にて出力される露光量を制御する制御手段と、を含むことを特徴としている。
【００４０】
また、上記目的を達成するために、請求項２６に記載の発明に係るカラープルーフ作成システムは、画像を編集する画像編集用の複数の情報端末と、複数の前記情報端末と通信網を介して通信可能とされ、各前記情報端末にて各々編集された各画像編集ファイルを受信し、各前記画像編集ファイルの各々の複数色よりなる画像データを各々展開分版して各組の各色版データとし、この各色版データを各々面順次で送信する画像処理装置と、前記画像処理装置と前記通信網を介して通信可能とされ、前記各色版データに基づいて、カラープルーフを各々作成出力する複数の画像記録装置と、を含み、前記画像処理装置は、前記画像記録装置にて出力される各色版データの出力描画順序に応じて、露光量を調整制御する制御手段を含むことを特徴としている。
【００４１】
また、上記目的を達成するために、請求項２７に記載の発明に係る情報処理方法は、画像編集された画像編集ファイルを受付るとともに、前記画像編集ファイルの複数色よりなる少なくとも一つの画像データを展開分版して少なくとも１組の各色版データとし、この各色版データを面順次で画像記録装置に転送し、前記画像記録装置から基材と各色版データとでカラープルーフを出力する処理を行う情報処理方法であって、前記画像記録装置にて出力される各色版データの出力描画順序に応じて、露光量を調整制御するステップを含むことを特徴としている。
【００４２】
また、上記目的を達成するために、請求項２８では、前記情報処理方法をコンピュータにおいて実行させるためのプログラムを定義し、請求項２９では、コンピュータにより読み出し可能な、前記プログラムを記録した情報記録媒体を定義している。
【００４３】
また、上記目的を達成するために、請求項３０に記載の発明に係るコンピュータプログラム製品は、各色分解網原稿の網点画像データに基づいて、複数の発色層が積層してなる感光材料を、波長の異なる光を発する複数の各光源により露光することで画像を記録する画像記録装置によりカラープルーフを作成するための画像処理を行うプログラムが記録されたコンピュータ可読媒体を有するコンピュータプログラム製品であって、前記網点画像データの色版印刷順と、前記複数の光源の発するべき各光量値との相関関係を定義した印刷順テーブルに関する情報を格納した情報格納手段と、前記色版印刷順に基づいて、前記情報格納手段の前記印刷順テーブルを参照しながら対応する各前記光量値を算出して前記複数の各光源の露光量を各々調整制御する制御手段と、を含むことを特徴としている。
【００４４】
また、上記目的を達成するために、請求項３１に記載の発明に係るコンピュータプログラム製品は、前記コンピュータ可読媒体は、フロッピー（登録商標）ディスク、ハードディスク、光ディスク、光磁気ディスク、メモリ装置、ネットワーク化資源、不揮発性メモリカードから選択されることを特徴としている。
【００４５】
【発明の実施の形態】
以下、本発明の好適な実施の形態の一例について、図面を参照して具体的に説明する。
【００４６】
先ず、本実施の形態の特徴は、カラーコレクションの設定を行う際に、カラープルーフを出力する際の色版の出力順序に応じてＲＧＢ光源の露光量を調整制御できる点にある。また、前記色版の出力順序を設定すると、対応する露光量が自動設定される点にある。
【００４７】
さらに、例えば、複数台接続された画像記録装置に応じて、一の画像記録装置に対しては、ある順番で転送して出力し、また他の画像記録装置に対しては、他の異なる順番で転送して出力するように制御することもできる。
【００４８】
このような本実施の形態の特徴である出力描画順序に応じた露光量の調整制御を行う構成の説明に先立って、前提となる「カラープルーフ作成システムの全体構成」、「画像記録装置およびその管理装置の詳細（機能ブロック構成）」、「画像記録装置の機械的構成（露光ユニット）・（現像処理ユニット）」、「画像記録装置の制御系の構成」、「本実施の形態の特徴：色版順序に応じた露光量を調整するための構成（『カラーコレクションテーブル』、『出力順序の設定画面』）」、「処理手順」の各項目順に説明することとする。
【００４９】
（カラープルーフ作成システムの全体構成）
先ず、デスクトップパブリッシング分野におけるカラープルーフ作成システムの全体の概略構成について、図１を参照して説明する。図１は、本発明の実施の形態によるカラープルーフ作成システムの全体構成の概略を示す説明図である。
【００５０】
本実施の形態のカラープルーフ作成システム１は、印刷物の仕上がりを事前に確認する校正物を得るためのカラープルーフをデジタル画像信号から得るためのシステムであり、図１に示すように、ネットワークＮ１に接続された複数例えば３台の画像データの生成等を行う画像編集の機能を有する情報端末である上流端末２（２Ａ、２Ｂ、２Ｃ）と、同じくネットワークＮ１に接続された複数例えば２台の画像出力制御機能を有する画像処理装置３（３Ａ、３Ｂ）と、各画像処理装置３（３Ａ、３Ｂ）とネットワークＮ２を介して通信可能に各々接続された複数例えば２台の画像記録装置２０（２０Ａ、２０Ｂ）と、前記画像記録装置２０（２０Ａ、２０Ｂ）とネットワークＮ３を介して各々通信可能に形成されて画像記録装置２０に関する各種制御情報を取得しモニタして遠隔管理することにより各種メンテナンスを行なうためのサブホスト４と、サブホスト４とネットワークＮ４を介して通信可能に形成されたホスト５とを含んで構成している。
【００５１】
ここで、図１のシステム構成例においては、前記上流端末２（２Ａ、２Ｂ、２Ｃ）によりデザインシステムを構成し、画像処理装置３（３Ａ、３Ｂ）によりフロントシステムを構成し、サブホスト３によりホストシステムを構成し、ホスト５によりセンターシステムを構成している。また、上流端末２、画像処理装置３、サブホスト４、ホスト５は、各種ＰＣやサーバー、あるいはこれに類する情報処理装置等のコンピュータにて形成されることが好ましく、画像記録装置２０（２０Ａ、２０Ｂ）はＤＣＰ（デジタルカラープルーフ）作成装置を用いている。
【００５２】
また、ネットワークＮ１、Ｎ２、Ｎ３、Ｎ４としては、例えばインターネット（乃ち主としてＴＣＰ／ＩＰプロトコルを用いた通信態様）や特定区域のＬＡＮやＷＡＮさらにはシリアル通信等、あるいはその組み合わせであることが好ましいが、これらのネットワークに携帯電話回線網（基地局及び交換システムを含む）、公衆電話回線網、ブロードバンド対応可能な専用回線、ケーブルＴＶなどの各種回線、無線（衛星通信等を含む）ネットワーク等を含んでいてよく、また、他の種々の通信プロトコルを用いたネットワークであっても構わず、他の種々のネットワークと接続されたシステムであってもよい。これらネットワークＮ１、Ｎ２、Ｎ３、Ｎ４の組み合わせからなる総称により本発明にいう「通信網」を構成している。
【００５３】
なお、本実施の形態の特徴とするところの出力順序に応じて露光量を調整設定可能なカラーコレクションテーブルは、画像記録装置２０に備えることを前提とするものであるが、画像処理装置３単独で備えたとしても、画像処理装置３及び画像記録装置２０の各々に備えたとしても構わない（テーブルの内容については後述する）。その際、本例では図示しないが、例えば、１台の画像処理装置３に対して複数の異なるタイプ（機種）の画像記録装置２０が接続されるような場合には、その各々の画像記録装置２０に対応する各前記テーブルを１台の画像処理装置３に備えてよいことは勿論である。
【００５４】
上流端末２（２Ａ、２Ｂ、２Ｃ）は、各々コンピュータ端末装置として動作するものであり、上流端末２（２Ａ、２Ｂ、２Ｃ）は、システム構成に応じて種々のハードウエア構成を採りうることが可能であり、この本例では、繁雑になるので図示していないが、ＣＰＵとＲＯＭ、ＲＡＭ等を有するコンピュータ本体と、これに接続されるＣＲＴ等のディスプレイ、マウス、キーボード、デジタイザ、ＦＤＤ装置、およびハードディスク等や、イメージスキャナ等の画像生成のための入力機器を備えている。
【００５５】
画像処理装置３は、上流端末２にて編集された画像編集ファイルの画像データを、ネットワークＮ１を通じて、もしくは、ＦＤＤ等の外部入出力装置を通じて、ＲＩＰ（Ｒａｓｔｅｒ  Ｉｍａｇｅ  Ｐｒｏｃｅｓｓｏｒ）等によってラスタデータに展開するとともに、分版して各色版データ（網点画像データ）を生成する網点画像データ生成処理を行い、各網点画像データを画像記録装置２０に転送して画像を出力するようになっている。
【００５６】
なお、画像処理装置３（３Ａ、３Ｂ）もコンピュータ本体、表示部、キーボード等の入力機器を備え、画像データの受け入れ、画像記録装置２０（２０Ａ、２０Ｂ）へのジョブの出力等を行う動作プログラムを組み込んでいる。なお、この発明を理解する上では繁雑になるので図示はしていないが、画像処理装置３には、画像原稿を読み取るカラースキャナ、台紙の情報を読み取る台紙入力機、また必要に応じて、比較的低画質のゲラ印刷を行うゲラプリンタ等を接続してもよい。
【００５７】
画像記録装置２０は、画像処理装置３から転送された網点画像データにより印刷用紙に画像を形成しカラープルーフを作成する。なお、画像記録装置２０は、レーザー露光方式等を用いたカラープルーファー等の画像形成装置から構成することができる。これにより、画像処理装置３から画像データをネットワークＮ２を通じて画像記録装置２０に転送し、各色の画像データを記録材（出力媒体：出力用紙等）に記録することにより、カラープルーフを形成することができる。
【００５８】
ここで、画像記録装置２０には、感光材料の発色層の重ね順（色版印刷順）に応じて複数のＲＧＢ光源の各々の露光量を算出するための各種テーブルやプログラムなどを含むソフトウエアが搭載され、前記重ね順に応じた露光量を設定できるようにして前記露光量を調整制御することで、正しい色調のカラープルーフを作成することが可能である。
【００５９】
一方、画像処理装置１０においては、複数種類の異なる画像記録装置２０、・・を制御するためのアプリケーションソフトウエアがインストールされ、アプリケーションソフトウエアにより設定される設定項目を設定することにより、正しい色調のカラープルーフを作成することが可能となる。なお、設定パラメータとしては、例えば、出力描画順序、カラーコレクションテーブル（色補正ＬＵＴ）等がある。
【００６０】
なお、システム構成としては図１の例を構成することが好ましいが、図１の構成例に限らず、画像処理装置３、サブホスト４、ホスト５、（上流端末２）の機能を便宜的に１台のコンピュータで構成しても構わない。以下の各項目における詳細説明では、説明を簡単にするために、前記１台のコンピュータを、「管理装置」として構成した場合を例に説明する。即ち、図４に示すように、管理装置１０と画像記録装置２０とがネットワークを介して通信可能に形成された、最も単純なシステム構成例をもとに説明する。
【００６１】
（画像記録装置およびその管理装置の詳細について）
（管理装置の構成および作用）
図２には、管理装置１０及び画像記録装置２０を機能的な構成要素の具体例が機能ブロック図として開示されている。
【００６２】
管理装置１０は、画像記録装置２０を制御するコントローラとして機能し、図２に示すように、外部から編集された画像編集ファイルの画像データが入力される入力インターフェースである入力部１１と、入力部１１にて入力された画像データをラスタイメージデータなどに展開するとともに分版して各色版データたる網点画像データを生成するＲＩＰ機能などの処理などを行うデータ処理部１２と、画像データやパラメータの設定条件、各種テーブル、その他のプログラムなどを記憶するハードディスク等の記憶部１４と、データ処理部１２からの例えば網点画像データを例えばＣ、Ｍ、Ｙ、Ｋ等の面順序で出力し、画像記録装置２０に転送制御する出力インターフェースからなる通信手段である転送制御部１３と、各種情報や設定条件等の設定操作入力を行う操作部１５と、各種ＬＵＴなどの各種設定パラメータを設定する画面などを表示するＣＲＴや液晶パネルからなる表示部１６と、ＦＤＤなどの外部入出力装置１７と、データ処理部１２、転送制御部１３、記憶部１４、操作部１５、表示部１６、及び外部入出力装置１７をそれぞれ制御するためのＣＰＵなどからなる管理制御部１８と、を含んで構成される。
【００６３】
入力部１１には、文字、絵柄等の画像を総合的に統合して編集する編集用の上流端末２からの画像編集ファイルのカラー情報を含む例えばページ記述言語（ＰＤＬ）等の画像データが入力される。この画像データとしては、例えば、上述したＰＳ・ＥＰＳ・ＰＤＦ等のページ記述言語で構成されたデータ以外にも、ＴＩＦＦ、ＴＩＦＦ／ＩＴ等の汎用フォーマットデータ、主要メーカーが自社専用フォーマットとして取り扱っているデータ、その他これに類する種々のデータなども含む。
【００６４】
データ処理部１２は、スプール用バッファを含む記憶部１４などを利用して、入力されたデータ例えばＰＤＬデータを所定の画像出力条件（例えば、網点の形状、網角度、スクリーン線数、感光材料のガンマ特性、現像機の特性等）に応じて２値画像データであるラスタイメージデータに展開するとともに、分版を行い網点画像データを生成する処理などを行う。
【００６５】
転送制御部１３は、この展開分版された画像データを画像記録装置２０に対して転送制御などの処理を行う。これにより、電子製版の元になる電子製版用画像データからラスターイメージフォーマットのＹ，Ｍ，Ｃ，Ｋの画像データを、各色毎に順番（面順次）に生成する。
【００６６】
そして、電子製版用画像データから印刷物と同じスクリーン線数の網点の集合によって再現し、画素ゲイン量を印刷物のそれと近似させて再現する。これにより、印刷網点画像を忠実に再現する。ここで、網点とは、連続階調のある写真やイラストを印刷物として再現するためのスクリーンをかけた製版で作られる微細な点をいい、細かい点の集合によって視覚的に濃淡を感じることを利用したものである。
【００６７】
記憶部１４には、管理装置１０自身のＯＳなどの全体の制御プログラム及びフォントデータ、並びに色別分版処理のための制御プログラム、処理の途中経過などを一時的に記憶するワークメモリ、例えばポストスクリプト（ＰＳ）等のページ記述言語（ＰＤＬデータ）で記載された色データを含む図形ファイルデータ等を記憶するＰＳファイルメモリ、ＰＳファイルメモリのファイル中から全ての色のデータを抽出して記憶する色テーブルメモリ、特色分版された各色の分版ファイルをそれぞれ記憶する色別分版ファイルメモリ等、各種メモリ領域を含む。
【００６８】
操作部１５は、表示部１６と兼用になっており、それぞれ操作入力手段としての入力キー等から入力して設定でき、例えば保存ボタン等を押下することにより設定したパラメータを記憶部１４に記憶させることができる。
【００６９】
表示部１６は、画像記録装置２０の状況や各種情報を表示する表示手段であり、操作部１５により各種設定や操作のための情報を入力することができる。この操作部１５及び表示部１６にて設定されるパラメータ（設定情報）には、管理装置１０の場合、例えば、出力解像度、網点情報、ポジネガ設定、回転要否、出力描画順序、各種色調整用の各種テーブル等がある。
【００７０】
管理制御部１８は、記憶部１４から画像記録装置２０について設定されて記憶された各種情報を読み出して表示部１６に表示させ、操作部１５から所定の操作がなされた場合には、前記データ処理部１２において生成された網点画像データに対して前記設定に基づく各種画像処理がなされるようデータ処理濡１２などを制御する。
【００７１】
なお、管理装置１０と画像記録装置２０との間で網点画像データの転送以外に制御情報（カラー感光材料の搬送指示、露光開始／中止指示、及びそれらへの応答等）の通信を行なうことがある。この場合、制御情報は、転送制御部１３を介して通信される。なお、転送制御部１３内の複数の転送制御機能によって、制御情報の中継と網点画像データの転送等の制御が各々独立して転送されることが好ましい。
【００７２】
上述のような構成を有する管理装置１０においては、概略以下のように作用する。すなわち、ユーザーは、管理装置１０に対し、マウス、キーボード等の操作部１５を利用して表示部１６において、各種指定（例えば色版出力順序等）を行うと、これらの指定入力情報（前記色版出力順序に関する情報）は、記憶部１４に記憶される。
【００７３】
次に、このような準備のもとに、入力部１１を介して上流端末２からカラー情報を含むページ記述言語（ＰＤＬデータ）の取り込みを開始し、ＰＤＬデータの供給が終了したかどうかを判別する。
【００７４】
そして、外部の上流端末２で編集加工が行われて転送されてきた各種ページ記述言語などで記述された多値階調データである編集画像ファイルの画像データは、入力部１１にて入力されると、データ処理部１２によりをラスタデータ等の画像データに展開するとともに、未だ分版されていない場合には当該画像データに基づき所定の色Ｙ、Ｍ、Ｃ、Ｋに分版する分版処理を行う。そして、データ処理部１２などによって展開分版されると、１枚のカラープルーフを作成するのに必要な色別分版ファイル（網点画像データ）が生成され、２値の網点の網点画像データの画素が生成される。
【００７５】
すなわち、画像データは、印刷で再現できるデータであるから、当然色に関する情報は、印刷に使う色で記述されている。従って、印刷色がプロセス色Ｙ、Ｍ、Ｃ、Ｋである場合、画像データの色に関する記述はこれらの４色のみで記述されており、これから得られるラスター画像データは、これら４色の色情報を持っている。
【００７６】
尚、通常ＲＩＰ処理は、各色版毎の単色のラスター形式階調データを色数分出力するが、画素毎に各色階調値を並べた形式のデータであってもよい。いずれの形式においても、入力されたラスター画像データのある画素の色の値は、ベクトル値として、階調値＝（Ｃ、Ｍ、Ｙ、Ｋ）のように表現することが好ましい。各ベクトル成分はベタを１００、白を０とした０〜１００の数値（網点％）とする。
【００７７】
ページ記述言語で書かれたファイル（以下、ＰＳファイルともいう）は、文字、写真、図形等が混在するデータを統一して取り扱うことができ、このようなページ記述言語で書かれたグラフィックデータ等を多色刷りで印刷する場合は、各色ごとの分版ファイルを生成する。具体的には、ページ記述言語で書かれた図形データ等を含むＰＳファイルの中から、使用されている全ての色のデータを解析し、この色データに基づき、それぞれ色別分版ファイルの色版データを生成する。
【００７８】
このとき、管理制御部１８は、他の指示がない場合には、デフォルトとして、データ処理部１２を分版処理モードに設定する。
【００７９】
転送されてきたカラー情報を含むＰＤＬデータが分版されているデータの場合には、データ処理部１２を予め非分版モードに設定してラスタイメージ処理を開始し、分版されていないデータである場合には、データ処理部１２を分版モードに設定して、カラー情報を含むＰＤＬデータを、データ処理部１２で分版処理でのラスタイメージ処理を行うようにしている。
【００８０】
このように制御することにより、転送されてきたＰＤＬデータが分版されていないデータであれば、データ処理部１２を分版モードに設定し、そのまま処理を継続することで、結果として、所望の４版分のラスタイメージデータが得られる。
【００８１】
なお、編集用の上流端末２から出力されたカラー情報を含むＰＤＬデータ等が、Ｃ、Ｍ、Ｙ、Ｋからなる４ページのすでに分版されているデータ（以下、必要に応じて既分版データともいう）である場合には、データ処理部１２では、処理モードを分版しないモード（非分版モード）としてラスタイメージ処理を行ってＣＭＹＫの４版分のラスタイメージデータを出力することもできる。
【００８２】
一方、編集用の上流端末２から出力されたカラー情報を含むＰＤＬデータ等が１ページの記述である、未だ分版されていないデータ（以下、必要に応じて未分版データともいう。）である場合、データ処理部１２では、処理モードを分版するモード（分版モード）としてラスタイメージ処理を行ってラスタイメージデータを出力する。
【００８３】
このように、ＹＭＣＫが混在している画像データを、各々のデータに分版（分解）する分版処理は、編集用の上流端末２により実行されても、データ処理部１２にて実行されてもよい。すなわち、画像データは、プロセスカラー（ＣＭＹＫ）が混在した１つのデータファイルであることが一般的であるが、場合によっては、各々の色版を別個のデータファイルとして渡すこともあり、各々の色版を別個のデータとして渡されている場合には、データ処理部での分版処理は省略される。
【００８４】
この際、前記網点画像データに対して、種々の画像処理を行う必要がある場合には、操作部１５および表示部１６を利用することによって画像処理を施し、前記色版出力順序等にて指定された色版出力順序に各色版データである網点画像データの転送順序が並び換えられ、で転送開始などの指示を行い前記網点画像データを送信することができる。
【００８５】
そして、転送制御部１３が画像記録装置２０に対して前記色版出力順序にてデータを転送し、画像記録装置２０は、管理装置１０から所定の順序に従って、面順次に色版データを受付る。
【００８６】
（画像記録装置の構成および作用）
画像記録装置２０は、各色分解原稿の網点画像データに基づいて、複数の発色層が積層してなる感光材料を、波長の異なる光を発する複数の各光源により露光することで画像を記録するものであり、図２に示すように、管理装置１０から例えばＣ、Ｍ、Ｙ、Ｋの順に転送された網点画像データを受信する通信制御部２１と、前記通信制御部２１を介して受信された網点画像データを（少なくとも１ページ分）格納する情報一時格納部２２と、前記情報一時格納部２２の網点画像データに基づいて、走査線本数毎（１主走査分）の露光用フォーマットに変換し、変換された網点画像データを、Ｙ，Ｍ，Ｃ，ＢＫの全色１枚分の全データからなる画素データを走査線本数毎の露光用フォーマットで読み出し、全色のデータを同時（点順次）に出力することで、レーザー露光を行う露光部２３と、露光部２３からの感光材料などのシートを現像処理する現像部２４と、現像部２４にて現像処理されたカラー画像が形成された印刷用紙をカラープルーフとして排紙出力する排紙部２５と、各種操作を行なうための表示部２６及び操作部２７と、各発色層の層順（色版出力順序）に応じたＲＧＢの各光源の露光量が設定されたカラーコレクションテーブル（カラーチャンネル色補正ＬＵＴ）２８ａなどを記憶した記憶部２８と、各種補正演算処理を行う補正演算処理部２９と、これら各部の制御を司る制御部３０と、を含んで構成される。
【００８７】
なお、本実施形態の「制御部  」は、本発明にいう「  手段」に該当する。この  手段は、
情報一時格納部２２は、管理装置１０から面順次に各色毎に転送されてきた網点画像データを、所定の領域に一時格納し、さらに、制御部３０により、走査線本数毎（１主走査分）の露光用フォーマットに変換された網点画像データをＹ，Ｍ，Ｃ，ＢＫ全色１枚分、他の所定の領域に一時格納する。
【００８８】
表示部２６は、画像記録装置２０の状況や各種情報を表示する表示手段（液晶パネル）であるとともに、各種設定や操作のための情報を入力する表示操作手段（タッチパネル）でもある。前記操作部２７及び表示部２６にて設定されるパラメータ（設定情報）には、画像記録装置２０の場合、出力解像度、網点情報、ポジネガ設定、回転要否、各種色調整用の各種テーブル情報、露光用テーブル情報、ログ等がある。
【００８９】
記憶部２８内のＬＵＴ部は、印刷の基準色すなわちＹ（イエロー）、Ｍ（マゼンタ）、Ｃ（シアン）及ＢＫ（ブラック）と、それら基準色を感光材料に露光する光源の光すなわちＢ（ブルー）、Ｒ（レッド）、Ｂ（ブルー）の強度組成との対応を規定するＬＵＴ（ルックアップテーブル）データであるカラーコレクションテーブル（カラーチャンネル表）２８ａを記憶している。このカラーコレクションテーブルは、Ｙ版、Ｍ版、Ｃ版、Ｋ版の各色版順序に応じて各ＲＧＢ光源の露光量が設定可能に構成されたものである。
【００９０】
なお、カラーコレクションテーブル２８ａの詳細は後述するが、感光材料例えばネガ式、ダイレクトポジ式等に応じて各々構成することが好ましい。また、カラーコレクションで設定する基準色としては、通常のカラー画像の印刷の原色であるＹ、Ｍ、Ｃ、ＢＫの４つの色や、加法混色の色の３原色であるＹ、Ｍ、Ｃの３つの色や、印刷の原色であるＹ、Ｍ、Ｃ、ＢＫの４つの色に１又は複数の特色を加えた５又はそれ以上の色などが挙げられるがこれらに限られない。なお、Ｙはイエロー（黄色）、Ｍはマゼンタ、Ｃはシアン、ＢＫは墨色（黒色）、Ｂはブルー（青色）、Ｇはグリーン（緑色）、Ｒはレッド（赤色）を意味する。
【００９１】
前記ＬＵＴにより、露光用フォーマットのＹ，Ｍ，Ｃ，Ｋのデジタル網点画像データを、Ｂ、Ｒ、Ｇの露光強度データに変換する。その際、画素毎に、印刷物のＹ，Ｍ，Ｃ，ＢＫの網点画像データを、Ｂ、Ｒ、Ｇのレーザ強度の組み合わせに変換する。
【００９２】
補正演算処理部２９は、記憶部２８のカラーコレクションテーブル、露光適正補正テーブル、光量テーブル、出力テーブルを利用して、各種補正処理（環境補正、露光適正補正等）、表示部２６内の各設定手段の設定情報に基づく種々の選択抽出処理、光量算出やドライブ電流値の算出などの各種演算処理を行うためのものであり、例えば、各種演算プログラム群よりなる。
【００９３】
制御部３０は、情報一時格納部２２のＹ，Ｍ，Ｃ，ＢＫの全データからなる画素データを走査線本数毎の露光用フォーマットで読み出し、全色のデータを同時（点順次）に出力することで、感光材料に画像を露光部２３にて露光するように制御する。
【００９４】
前記制御部３０により露光部２３は、感光材料としてロール状のハロゲン化銀カラー写真感光材料をセットして、シート状に切断した後、網点画像データに応じてレーザ光で露光する。加えて、前記制御部３０は、前記露光部２３にて露光ざれた感光材料（記録材）を、現像部２４にて現像処理を行い、排紙部２５から出力してカラープルーフを作成するよう制御する。
【００９５】
上述のような構成を有する画像記録装置２０において、概略以下のように作用する。すなわち、データ処理部１２により作成された各色（Ｙ、Ｍ、Ｃ、ＢＫ）の網点画像データは、所定の色版出力順序にて通信制御部２１に受信され、当該通信制御部２１を介して情報一時格納部２２に一時的に記憶するようになっている。情報一時格納部２２で転送速度の変動をアキュームしながら、ドットクロック等によりデータを全色同時に読み出し、ＬＵＴを含む記憶部２８に送る。この際、前記色版指定順序に関する情報に応じてＬＵＴ中の露光量情報が選択的に使用されるように制御が行なわれる。
【００９６】
より詳細には、面順次に各色毎に転送されてきた網点画像データは、画像記録装置２０において、走査線本数毎（１主走査分）の露光用フォーマットに変換され、画像記録装置２０の情報一時格納部２２の所定の領域に格納される。
【００９７】
この際、面順次の網点画像データ（印刷版に対応したＹ，Ｍ，Ｃ，ＢＫにそれぞれ分離されたデータ）は、露光部２３の複数ビーム本数の１走査分のデータの並びに並び換え変換される。
【００９８】
そして、走査線本数毎（１主走査分）の露光用フォーマットに変換された網点画像データをＹ，Ｍ，Ｃ，ＢＫ全色１画面分（１枚のカラープルーフを作成するのに必要な全色１枚分の網点画像データ）ずつ蓄積した後、Ｙ，Ｍ，Ｃ，ＢＫの全データからなる画素データを走査線本数毎の露光用フォーマットで読み出し、全色のデータを同時（点順次）に出力する。
【００９９】
ここで、前述したように、ＬＵＴにおいては、色版出力順序に関する情報に応じてＲＧＢ光源の露光量が選択的に抽出される。例えば、Ｙ→Ｍ→Ｃの順序で色版出力順序情報が指定されている場合には、それに対応するＲＧＢの各露光量の組み合わせが選択され、また、Ｃ→Ｍ→Ｙの順序で色版出力順序情報が指定されている場合には、それに対応するＲＧＢの各露光量の組み合わせが選択されるように制御される。
【０１００】
つまり、感光材料の発色層の構成がＹＭＣの構成であったとしても、実際の印刷機の色版出力順序がＹ→Ｍ→Ｃである場合や、Ｃ→Ｍ→Ｙである場合には、色調が微妙に異なることに鑑み、前記順序に応じてＲＧＢ光源の各露光量を調整制御することにより、正しい色調のカラープルーフを得ることができるようになっている。
【０１０１】
制御部３０は、入力されたＹ，Ｍ，Ｃ，ＢＫの全データからなる画素データを走査線本数毎の露光用フォーマットにした画像データに基づき、網点の画素数をカウントし、このカウントは、例えば、１ライン分または１頁分の網点画像データの画素について続けて行う。
【０１０２】
そして、その網点画像データについて主走査方向のドット数や副走査方向のドット数（ライン数）をカウントし、カウントされたカウント値を参照して画像サイズを算出しつつ、制御部３０は感光材料に画像を露光部２３にて露光するように制御する。
【０１０３】
一方、各種補正処理（ＬＵＴの情報に対する露光適正補正等）等が行われる場合には、補正演算処理部２９で補正処理が行われ、この際に抽出された制御情報が、同じくＬＵＴを含む記憶部２８に送られ、更新処理が行われる。そして、補正処理等が反映されたテーブルに基づいて、全色同時露光を行う。
【０１０４】
この時、カラーチャンネル表にて設定入力された露光量に基づいて、緑色レーザー光源、赤色レーザー光源、青色レーザー光源が発光し、印刷時のインクの色および／または印刷用紙の色に対応した色を持つ画像を露光する。
【０１０５】
画像記録装置２０では、感光材料としてロール状のハロゲン化銀カラー写真感光材料をセットして、シート状に切断した後、並び替えられた網点画像データに応じて露光部２３にてレーザ光で露光し、その後、現像部２４で現像処理し、排紙部２５から排紙されてカラープルーフが作成される。
【０１０６】
他の画像記録装置２０（２０Ｂ）の構成及び動作も画像記録装置２０（２０Ａ）の場合と同様である。
【０１０７】
このように、カラー印刷物を作成するに当たって、様々な形式で記述されたデジタル画像データからラスターイメージフォーマットの画像データを作成し印刷版を作成する前に、データ処理部１２でデジタル画像データからラスターイメージフォーマットの画像データを生成し、記憶部２８を利用して、画像記録装置２０に適合するフォーマットの画像データに並び替え、この並び替えられた画像データに基づいて画像を記憶し、カラーコレクションチャンネルにより色版順序に応じた露光量の調整制御を行うことで、様々な形式で記述されたデジタル画像データから作成される印刷版で印刷されて得られる画像をシミュレーションするカラープルーフを作成し、デジタル画像データが示す画像にレイアウト、色、文字等の誤りがあるか否かなどの誤りの有無を検査し、印刷物の仕上がりを事前に確認できる。
【０１０８】
これら、各色版順序に応じた露光量の調整制御のための具体的構成については、後述することとし、その前に、画像記録装置の全体の機械的構成並びに制御系の構成について以下に説明することとする。
【０１０９】
（画像記録装置の機械的構成）
次に、画像記録装置２０の機械的構成について、図３を用いて説明する。図３は、画像記録装置の露光ユニットおよび現像ユニットの内部構成を表す断面図である。
【０１１０】
画像記録装置２０は、外観上の機械的構成として、図３に示すように、その構成要素を大別すると、記録材を構成する感光材料に対して画像露光処理を行う露光ユニット４０と、この露光ユニット４０によって露光処理された感光材料に対して現像処理を行う現像処理ユニット５０とから構成されている。
【０１１１】
因みに、ここにおいて、露光ユニット４０には、図２に示す通信制御部２１、情報一時格納部２２、露光部２３、表示部２６、操作部２７、記憶部２８、補正演算処理部２９、制御部３０が含まれており、現像処理ユニット５０には、図２に示す現像部２４、排紙部２５が含まれている。
【０１１２】
図３に説明を戻すと、露光ユニット４０の上部には、２つの紙装填部４２、４２´と操作部２７とが配置されている。尚、操作部２７は、液晶パネルの上にタッチパネルを積載した構造となっている。
【０１１３】
現像処理ユニット５０の側面には、処理された感光材料を排出する排紙部２５が設けられている。
【０１１４】
（露光ユニットの構成）
図３に示すように、露光ユニット４０の内部には、給紙部４１、主走査部４６、副走査部４７、排紙部４８及びアキューム部４９が設けられている。
【０１１５】
給紙部４１は、２つの紙装填部４２、４２´と、紙装填部４２、４２´から搬送された感光材料Ｐを主走査部のドラム４３へ搬送する下給紙部２１とから構成されている。紙装填部４２、４２´の構成は略同一なので、以下、紙装填部４２を用いて説明を行い、同一箇所には番号に´（ダッシュ）を付し、重複する説明は省略する。
【０１１６】
紙装填部４２は、部屋構造となっており、給紙カバー４２ａが開閉可能に設けられ、内部にロール状の感光材料Ｐを収納した専用のカートリッジ４２ｂがセットされるようになっている。紙装填部４２の下部には、一対の給紙ローラ４４ａ、４４ｂが設けられ、給紙ローラ４４ａ、４４ｂの下部には、カッター４５ａが設けられている。さらに、紙充填部４２、４２´の下部には、１つに合流するペーパー搬送路Ｇ１、Ｇ１´が設けられ、合流位置には、一対の中間ローラ４５ｂが設けられている。
【０１１７】
主走査部４６には、感光材料Ｐが外表面に設けられるドラム４６ａが回転可能に設けられている。ドラム４６ａの外表面近傍には、ドラム４６ａに対して圧着可能な給排紙ローラ４６ｂが設けられている。この給排紙ローラ４６ｂのドラム４６ａとの圧着点と、ペーパー測長エンコーダーローラ４６ｃと、中間ローラ４５ｂとは一直線上に配置され、ペーパー測長エンコーダーローラ４６ｃと給排紙ローラ４６ｂとの間にはガイドＧ２が設けられている。さらに、別の給排紙ローラ４６ｄが中間ローラ４６ｂの下方に設けられている。
【０１１８】
副走査部４７には、ドラム４６ａに対向して光学ユニット４７ａが配置され、光学ユニット４７ａは副走査部４７を構成する不図示の移動機構（例えば移動ベルト、ガイドレール、プーリ、副走査モータなどからなる）によりドラム軸と平行に移動可能になっている。光学ユニット４７ａは、デジタル画像信号を受けてドラム４６ａに吸着された感光材料Ｐに光ビームで露光して画像の書き込みを行う。光学ユニット４７ａには、レッドＬＥＤユニットを構成するレーザー光源であるＬＥＤ４７Ｒ、グリーンＬＥＤユニットを構成するレーザー光源であるＬＥＤ４７Ｇ、ブルーＬＥＤユニットを構成するレーザー光源であるＬＥＤ４７Ｂが配置されている。ＬＥＤ４７Ｒ、ＬＥＤ４７Ｇ及びＬＥＤ４７Ｂからの光ビームは、ミラー４７ｅ、４７ｆ、４７ｇを介して、集光レンズ４７ｈからドラム４６ａ上の感光材料Ｐに画像を露光する。露光シャッター４７ｉは露光ソレノイド４７ｊにより開閉することで、露光開始／終了時に光路の開閉を行う。
【０１１９】
光学ユニット４７ａのドラム軸方向には、副走査基準位置検出センサＳ１１、副走査書き込み位置検出センサＳ１２及び副走査オーバーラン位置検出センサＳ１３（いずれも不図示）が配置され、副走査基準位置検出センサＳ１１の副走査基準位置検出で光学ユニット３２が停止し、この副走査基準位置から副走査が開始され、画像サイズに対応した移動量で副走査が停止され、さらに前記副走査基準位置へ移動して復帰させることで副走査が行われる。
【０１２０】
排紙部４８は剥離爪４８ａを備え、この剥離爪４８ａによって書き込みが終了した感光材料Ｐをドラム４６ａから剥離して、これを現像処理ユニット５０へ送り込む。このとき、現像処理ユニット５０の搬送速度の方が露光ユニット４０の排紙速度よりも遅い場合には、排紙速度が高速のまま感光材料Ｐをアキューム部４９へ送り込み、感光材料Ｐをアキューム部４９に垂れ下がるようにしてアキュームさせて、現像処理ユニット５０との搬送タイミングを図り露光ユニット４０の処理能力を落とさないようにしている。
【０１２１】
具体的には、露光ユニット４０の出口にはガイドの役割を果たすアキュムレータ４９ａが設けられており、アキュムレータ４９ａは、通常開いていて（図において二点鎖線の位置）、感光材料Ｐの排紙時に閉じた状態（実線位置）となり、剥離爪４８ａから露光ユニット４０の出口への搬送路を確保する（この閉じた位置をペーパー搬送可能位置と称する）。そして、感光材料Ｐの先端が露光ユニット４０の出口に達した時、アキュムレータ４９ａは開いて、感光材料Ｐの後端側をアキューム部４９の空間へ落とし込む。これにより、次の感光材料Ｐの処理が可能となる。また、高速（現像搬送速度に対し）で感光材料Ｐをアキュームさせることで、感光材料Ｐを傷つけることなく現像処理ユニット５０に送り込むことができる。露光ユニット４０の出口には、出口シャッター４９ｃ及び搬送ローラ４９ｂが設けられ、アキュムレータ４９ａが開かれた後、出口シャッター４９ｃが開かれ、搬送ローラ４９ｂにより、感光材料Ｐは現像処理ユニット５０へ送り込まれる。
【０１２２】
（現像処理ユニット）
現像処理ユニット５０の内部には、図３に示すように、第２露光部５１、現像部５２、定着部５３、安定部５４、乾燥部５５及び排紙部２５が備えられている。
【０１２３】
第２露光部５１は、露光ユニット４０で露光されなかった感光材料の部分を露光して擬似画像を形成する。具体的には、例えばネガ像をポジ像に反転する等の処理を行う。
【０１２４】
現像部５２、定着部５３及び安定部５４の各々には、現像処理を行う処理液が満たされた処理槽５２ａ、５３ａ、５４ａと、これに付随する処理液補充ポンプ（図示省略）が設けられ、さらに、現像部５２及び定着部５３には、温調用のヒーター（図示省略）が設けられている。そして、現像部５２は、露光ユニット４０で露光された感光材料の発色現像処理を行い、定着部５３は漂白・定着処理を行い、安定部５４は安定処理を行う。
【０１２５】
乾燥部５５には、温調用のヒーター（図示省略）及び乾燥ファンＦ５５が設けられ、温調用のヒーターによる温調下において、現像処理された感光材料を乾燥ファンＦ５５によって乾燥し、これを排紙部２５へ送り出す。
【０１２６】
（画像記録装置の制御系の構成）
次ぎに、当該画像記録装置（カラープルーフ作成装置）２０の制御系の構成について、図５を用いて説明する。図５に、制御系のブロック構成図を示す。
【０１２７】
制御系４００は、図５に示すように、管理装置１０内のデータ処理部などのＲＩＰ１２ａからの網点画像データを記憶した情報一時格納部２２からの画像データの各色成分を、設定されたチャンネルの各光源の光量に変換するためのＬＵＴ４１４と、露光ユニット４０を構成する各部（センサ類およびアクチュエータ群）と、これらの制御を司る露光制御部４００ａを有する。
【０１２８】
露光制御部４００ａは、ＣＰＵ４０１、ＲＡＭ４０２及びＲＯＭ４０３を有し、Ｉ／Ｏポート４０４、４０５を介してセンサ類及びアクチュエータ群に接続され、センサ類からの情報に基づきアクチュエータ群を制御する。
【０１２９】
ＲＯＭ４０３には、装置内の各種デバイスを初期化するためのデータが格納され、ＲＡＭ４０２には、装置固有の初期値及び補正値のデータが格納される。
【０１３０】
センサ類としては、カートリッジ有無センサＳ１、Ｓ１´、カバー閉検出センサＳ２、Ｓ２´、カバーロック検出センサＳ３、Ｓ３´、ペーパーエンドセンサＳ４、Ｓ４´、給紙ローラ圧着位置検出センサＳ５、Ｓ５´、給紙ローラ解除位置検出センサＳ６、Ｓ６´、ドラム給排紙ローラ圧着位置検出センサＳ７、ドラム給排紙ローラ解除位置検出センサＳ８、ペーパー先端基準位置センサＳ９、ペーパー送り量検出センサＳ１０、副走査基準位置検出センサＳ１１、副走査書込み位置検出センサＳ１２、ロータリーエンコーダー３７、副走査オーバーラン位置検出センサＳ１３、ペーパーエンド検出センサＳ１５、Ｓ１５´出口シャッター開検出センサＳ１６、剥離爪圧着センサＳ２１、剥離爪中間センサＳ２２、剥離爪解除センサＳ２３、ペーパー出口センサＳ２４、カッターホームポジション検出センサＳ２５、Ｓ２５´、カッターエンドポジション検出センサＳ２６、Ｓ２６´、剥離ジャム検出センサＳ３０、アキューム開センサＳ４０、アキューム閉センサＳ４１、給紙シャッター開センサＳ４３、Ｓ４３´が接続される。また、待機状態の計時手段として、特定の期間経過後にセーブ運転に切換えるためのタイマーＴ１が接続される。
【０１３１】
アクチュエータ群としては、カバーロックモーターＭ１、Ｍ１´、給紙ローラ圧着解除モーターＭ２、Ｍ２´、給紙モーターＭ３、Ｍ３´、カッターモーターＭ２０、Ｍ２０´、ドラム給排紙モーターＭ４、ドラム給排紙ローラ圧着解除モーターＭ５、ドラム回転モーターＭ６、副走査モーターＭ７、露光シャッターソレノイド３３３、搬出モーターＭ８、出口シャッターモーターＭ１０、剥離爪モーターＭ２１、アキューム開閉モーターＭ３０、給紙シャッターモーターＭ３１、Ｍ３１´が接続され、それぞれドライバＤ１、Ｄ１´、Ｄ２、Ｄ２´、Ｄ３、Ｄ３´、Ｄ２０、Ｄ２０´、Ｄ４、Ｄ５、Ｄ６、Ｄ７、Ｄ３３３、Ｄ８、Ｄ１０、Ｄ２１、Ｄ３０、Ｄ３１、Ｄ３１´を介して駆動される。
【０１３２】
表示部２６は、液晶パネル２６ＡがドライバＤ２０により制御され、画像記録装置の運転状態を表示する。また、タッチパネル２６Ｂからの操作による指令は、Ａ／Ｄ変換部４２０によりデジタル情報としてＣＰＵ４０１に送られる。
【０１３３】
表示部２６は、液晶パネル２６Ａとタッチパネル２６Ｂとを有し、装置本体２０ａの外面に設けられた、各種設定や操作のための情報を入力する入力手段であるとともに、装置の状況や各種情報を表示する表示手段でもある。この表示部２６は、他のＬＥＤ等からなる表示手段、入力キー等からなる入力手段から構成してもよい。この表示部２６から操作者が入力することにより、各種設定・変更することができるよう構成している。
【０１３４】
上記のように構成される制御系４００において、概略以下のように作用する。すなわち、デジタル画像データは、外部接続されたＲＩＰ１２ａから画像データＩ／Ｆ部２２３を介してデータバッファ２２１（２２１Ｙ、２２１Ｍ、２２１Ｃ、２２１Ｂｋ）に送られる。一方、ロータリーエンコーダー３７からの感光材料送り情報に基づくＰＬＬ４１２の出力信号に同期させて、ドットクロック生成部４１３のドットクロックでデジタル画像情報をデータバッファ２２１からＬＵＴ（ルックアップテーブル）４１４及びＤ／Ａ変換部４７０Ｒ、４７０Ｇ、４７０Ｂを介してドライバＤ４７０、Ｄ４７１、Ｄ４７２に与え、これらドライバＤ３２０、Ｄ３２１、Ｄ３２２によりレッドＬＥＤユニットのＬＥＤ４７Ｒ、グリーンＬＥＤユニットのＬＥＤ４７Ｇ、ブルーＬＥＤユニットのＬＥＤ４７Ｂをそれぞれ駆動する。
【０１３５】
ここで、ＲＩＰ１２ａにより作成された各色（Ｃ、Ｍ、Ｙ、ＢＫ）の網点画像データは画像データＩ／Ｆ部２２３に転送され、そこでラスターイメージフォーマットから各色数本の走査線毎の露光用フォーマットにデータ変換されてデータバッファ２２１（２２１Ｙ、２２１Ｍ、２２１Ｃ、２２１Ｂｋ）に蓄積されるようになっている。
【０１３６】
この画像データのフォーマットの変換は、例えば、同時に各色１０本の走査線を走査する場合、ラスターイメージフォーマットのビットマップデータの画像データを並べ替え、１０ライン並列に読み出すことにより行う。
【０１３７】
そして、データバッファ２２１に１枚分のデジタル網点画像データを蓄積した後、以下に示す全色同時露光を行う。
【０１３８】
すなわち、データバッファ２２１に１枚分の画像データが蓄積された後、データバッファ２２１で転送速度の変動をアキュームしながら、ドットクロック生成部４１３で生成したドットクロックでデータバッファ２２１の画像データを全色同時に読み出し、ＬＵＴ４１４に送る。
【０１３９】
ＬＵＴ４１４は、露光による再現色、すなわちＹ（イエロー）、Ｍ（マゼンタ）、Ｃ（シアン）、Ｂ（ブルー）、Ｇ（グリーン）、Ｒ（レッド）、ＧＹ（グレイ）、Ｗ（ホワイト）、及ＢＫ（ブラック）と、感光材料に露光する光源の光すなわちＲ（レッド）、Ｇ（グリーン）、Ｂ（ブルー）の強度組成との対応を規定するＬＵＴ（ルックアップテーブル）などのデータを記憶している。このＬＵＴは、色版出力順序に応じた各露光量を各々規定している。そして、送られた露光用フォーマットのＹ、Ｍ、Ｃ、ＢＫのデジタル網点画像データを、前記順序に応じて対応するＲ、Ｇ、Ｂの露光強度データに変換する。
【０１４０】
その際、画素毎に、印刷物のＹ、Ｍ、Ｃ、ＢＫの網点画像データをＲ、Ｇ、ＢのＬＥＤ光強度の組み合わせに変換する。また、露光制御部４００ａのＣＰＵ４０１が、各種センサ類からの感光材料の先端位置の情報及びドラムの位置を検出する図示省略のロータリーエンコーダーからのパルス信号のカウント値に基づいて、光学ユニットから射出されるＬＥＤ光の照射位置に感光材料の画像記録領域が存在するか否か判断する。
【０１４１】
そして、露光制御部４００ａは、この判断に基づき、ＬＥＤ光の照射位置に感光材料の画像記録領域が存在する期間は、レーザダイオードのレーザ光源、すなわちＬＥＤ４７Ｒ、４７Ｇ、４７Ｂを駆動するドライバＤ４７０、Ｄ４７１、Ｄ４７２に入力される露光強度データは、常にレーザダイオードを発光させるに足る露光強度データ値以上の露光強度データ値に変換するＬＵＴデータが設定されるようにＬＵＴ４１４を制御している。
【０１４２】
これにより、ＬＥＤ光照射位置に感光材料の画像記録領域がある期間、ＬＥＤ４７Ｒ、４７Ｇ、４７Ｂは、常に発光し、良好な応答性になる。このようにしてドラムに保持されている感光材料に対する網点画像の画像出力を行い、全色同時露光を行う。
【０１４３】
データバッファ２２１（２２１Ｙ、２２１Ｍ、２２１Ｃ、２２１Ｂｋ）は、各色２つずつ有し、露光時に１組のデータバッファからデータを出力中に、データ処理部などのＲＩＰ１２ａからのデータを、他の組のデータバッファにて受信可能な構成を持つ。
【０１４４】
なお、このデータバッファ２２１としては、第１メモリと第２メモリとから構成されている一対のラインメモリと双方向バッファとから構成されることが好ましい。この双方向バッファは、画像データの書き込み及び読み出しがを同時に行えるようになっているため、メモリの切換部が不要で、それにより回路構成が簡略化される。
【０１４５】
なお、露光制御部４００ａは、操作部の液晶パネル２６ＡをドライバＤ２０により制御し、画像記録装置２０の運転状態等の表示制御を行う。また、タッチパネル２６Ｂの操作による入力結果をＡ／Ｄ変換部４２０を介してデジタル情報として取得し、入力結果に基づく各部制御を行う。
【０１４６】
さらに、露光制御部４００ａは、感光材料の重ね順（色版出力順）に関するデータの内容に基づきＬＵＴ４１４に記憶されるＬＵＴ（ルックアップテーブル）データから対応する露光量情報を抽出する。さらに、ＬＥＤ４７Ｒ、４７Ｇ、４７Ｂの露光量を、このＬＵＴデータに基づいてドライバＤ４７０、Ｄ４７１、Ｄ４７２を制御することで調整して、感光材料の露光処理を行う。
【０１４７】
（本実施の形態の特徴的構成：色版順序に応じた露光量を調整するための構成）
ここで、本発明の特徴、すなわち、感光材料の各発色層の重ね順（色版出力順）に応じた露光量を調整するための具体的構成について図４を用いて説明する。図４は、画像記録装置の一部の詳細を示した機能ブロック図である。
【０１４８】
図２における記憶部２８、補正演算処理部２９、表示部２６は、より詳細には以下のような構成を有する。
【０１４９】
記憶部２８は、図４に示すように、ダイレクトポジ方式の感光材料に対して、重ね順（色版出力順）に応じた（再現色に対する）ＲＧＢの各光源の露光量を各々規定したポジ用のカラーコレクションテーブル２８ａ（カラーコレクションチャンネル色補正ＬＵＴ）と、ネガ方式の感光材料に対して、重ね順（色版出力順）に応じた（再現色に対する）ＲＧＢの各光源の露光量を各々規定したネガ用のカラーコレクションテーブル２８ｂ（カラーコレクションチャンネル色補正ＬＵＴ）と、画像記録装置２０ないしは管理装置１０にて設定された重ね順（色版出力順序）に関する情報である出力順序設定情報２８ｃなどの各種情報が記憶されている。
【０１５０】
もちろん、この他、カラーコレクションテーブル２８ａに対して露光適性補正を行なうための露光適性補正テーブルや各光源のドライバに応じた駆動電流値を露光量から算出するために必要な出力テーブル等（いずれも不図示）も備えていることは言うまでもない。
【０１５１】
表示部２６は、前記重ね順（色版出力順序）に関する情報や感光材料がネガ方式かポジ方式かなどを設定するための（例えば後述する図１０に示すような設定画面からなる）順序設定手段である第１の設定手段２６ａと、重ね順（色版出力順序）に応じたＲＧＢ各光源の露光量の組み合わせ値を規定するための前記カラーコレクションテーブルを設定変更するための（例えば後述する図６に示すようなテーブルを表示可能な）第２の設定手段２６ｂと、を含んで構成される。
【０１５２】
なお、表示部２６には、この他、出力媒体の形態、印刷条件、インク種別に応じた出力条件を設定する設定手段（不図示）を有することが好ましい。
【０１５３】
補正演算処理部２９は、前記第１の設定手段２６ａにて指定された重ね順（色版出力順序）に関する情報を、記憶部２８の出力順序設定情報２８ｃなどから取得する出力順序情報取得手段２９ａと、前記出力順序情報取得手段２９ａにて取得された出力順序設定情報２８ｃに基づいて、記憶部２８のカラーコレクションテーブル２８ａないしはカラーコレクションテーブル２８ｂ、あるいは、前記第２の設定手段２６ｂにて露光量が設定更新された後のカラーコレクションテーブル２８ａないしはカラーコレクションテーブル２８ｂを参照して、前記出力順序に対応するＲＧＢ光源の各露光量に関する情報を抽出演算処理する光量演算処理手段２９ｂと、これら各部の演算手順の制御を行う演算手順制御手段２９ｃと、を含んで構成されている。
【０１５４】
この際に、本実施の形態の「光量演算処理手段」により本発明にいう「演算手段」を構成できる。また、本実施形態の「記憶部」により、本発明にいう「情報格納手段」を構成でき、本実施形態の「第２の設定手段」および「第１の設定手段」により、本発明にいう「順序設定手段」を構成できる。さらに、本実施形態の「第１の設定手段」により、本発明にいう「感光材料方式設定手段」を構成できる。
【０１５５】
加えて、本実施形態の「制御部」により、本発明にいう「制御手段」を構成できる。この際、本実施形態の「カラーコレクションテーブル」は、本発明にいう「印刷順テーブル」に相当する。
【０１５６】
前記演算手段は、前記網点画像データの色版印刷順に基づいて、前記複数の光源の発するべき各光量値を演算する。
【０１５７】
前記制御手段は、前記記演算手段にて算出された各光量値に基づいて、前記複数の各光源の出力を各々調整する制御を行う。また、制御手段は、前記色版印刷順に基づいて、前記情報格納手段の前記印刷順テーブルを参照しながら対応する各前記光量値を算出して前記複数の各光源の露光量を各々調整制御する。
【０１５８】
さらに、前記制御手段は、前記順序設定手段にて指定された前記色版印刷順に基づいて、前記複数の各光源の露光量を各々調整制御し、前記印刷順テーブルは、前記感光材料がダイレクトポジ方式である場合に利用される、前記光量値を規定したポジ式のテーブルを含む場合に、前記感光材料が前記ダイレクトポジ方式である場合に、前記ポジ式のテーブルに基づいて複数の前記光源の露光量を調整制御する。
【０１５９】
また、前記印刷順テーブルは、前記感光材料がネガ方式である場合に利用される、前記光量値を規定したネガ式のテーブルを含む場合に、前記制御手段は、前記感光材料が前記ネガ方式である場合に、前記ネガ式のテーブルに基づいて複数の前記光源の露光量を調整制御する。
【０１６０】
さらに、前記感光材料のネガ方式若しくはダイレクトポジ方式に応じて、当該方式がいずれであるのかを設定する感光材料方式設定手段をさらに有する場合には、前記制御手段は、前記露光量を調整制御するにあたり、前記感光材料方式設定手段にて設定された方式に基づいて前記ネガ式のテーブル若しくは前記ポジ式のテーブルを切換制御して複数の前記光源の露光量を調整制御する。
【０１６１】
そして、前記順序設定手段が、前記網点画像データの色版であるＹ、Ｍ、Ｃ、Ｋの各版の印刷順に対応した、前記複数の光源の発するべき各光量値を各々設定入力可能な設定画面を含む場合には、前記制御手段は、前記設定画面にて入力された値に基づいて、前記露光量を調整制御する。この際、前記順序設定手段は、予め露光条件と印刷順との関係をチャンネル化して前記チャンネル指定を可能に形成される。
【０１６２】
さらに、制御手段は、指定された色版印刷順に基づいて、前記各光源による露光条件を変更制御すし、前記順序設定手段にて設定された色版印刷順に基づいて、前記複数の光源の発するべき各光量値の組み合わせを算出し、露光される前記複数の光源の露光量の出力を調整する。
【０１６３】
（カラーコレクションテーブルについて）
図６には、カラーコレククションテーブル（カラーチャンネル表）の構造の一例が開示されている。
【０１６４】
カラーコレクションテーブル２８ａは、例えば、図６に示すようなものとなる。ここで、再現色の色は、組み合わせとして、Ｙ、Ｍ、Ｃ、Ｂ、Ｒ、Ｇ、ＧＹ、Ｗ、Ｂｋの９パターンを有し、Ｙ、Ｍ、Ｃのみの場合は各々１パターンの計３通りであるが、印刷物データの重ね順（色版出力順）に応じて、例えば以下のようなパターンを有することとなる。
【０１６５】
例えば、再現色がＢ（＝Ｃ＋Ｍ）のように印刷物データが２つの場合には、Ｃ→Ｍの順序の場合およびＭ→Ｃの順序の場合の２通りが挙げられ、同様にしてＧ（＝Ｃ＋Ｙ）やＲ（＝Ｍ＋Ｙ）の場合も各々２通りが挙げられ、計６通り有することとなる。
【０１６６】
また、再現色がＧＹ（＝Ｃ＋Ｍ＋Ｙ）のように印刷データが３つの場合には、Ｃ→Ｍ→Ｙの順序や、Ｃ→Ｙ→Ｍ、Ｍ→Ｙ→Ｃ、Ｍ→Ｃ→Ｙ、Ｙ→Ｃ→Ｍ、Ｙ→Ｍ→Ｃなど計６通り挙げられる。
【０１６７】
さらに、再現色がＢｋの場合には、印刷物データーがＢｋのみの場合が１通り、印刷物データが２つの場合には、Ｋ→Ｙ、Ｙ→Ｋ、Ｋ→Ｍ、Ｍ→Ｋ、Ｋ→Ｃ、Ｃ→Ｋなどの６通り有する。加えて、印刷物データが３つの場合には、（Ｋ、Ｍ、Ｙ）による組み合わせで６通り、（Ｋ、Ｃ、Ｙ）による組み合わせで６通り、（Ｋ、Ｃ、Ｍ）による組み合わせで６通りの計１８通り有する。さらに加えて、印刷物データが４つの場合には、２４通りの組み合わせを有する。以上、再現色がＢｋの場合を総合すると、４９通り有する。
【０１６８】
なお、図示していないがＷの場合には、印刷物データが４つの場合の２４通りの組み合わせが想定され得る。
【０１６９】
以上まとめると、重ね順の起こり得る組み合わせとしては、８２通り形成することができる。これらの重ね順（色版出力順序）に応じてＲＧＢの各光源の各露光量（発光強度）の数値を各々定義可能に形成されることとなる。これによって、重ね順による色の差違による色調の調整を行うことができ、正しい色調のカラープルーフを作成することができる。
【０１７０】
そして、図６に示すカラーコレクションテーブル２８ａ同様のレイアウトの設定画面を表示部に表示させることによって、前記発光強度の設定値をデフォルトの値から任意に変更することも可能としている。
【０１７１】
ここで、図６の例においては、図７に示すような感光特性（濃度―光量特性）を有するダイレクトポジ方式に対応するものであるために、例えば、露光による再現色がＹの場合には、Ｒの発光強度を１００％、Ｇの発光強度を１００％、Ｂの発光強度を０％という具合に値を設定することとなる。
【０１７２】
一方、図９に示すような感光特性（濃度―光量特性）を有するネガ方式の場合には、図８に示すようなカラーコレクションテーブル２８ｂを利用することとなる。その場合、前記ダイレクトポジ方式と反対の数値を入力すればよく、例えば、露光による再現色がＹの場合には、Ｒの発光強度を０％、Ｇの発光強度を０％、Ｂの発光強度を１００％という具合に値を設定することとなる。
【０１７３】
ここで、これらカラーコレクションテーブル（色補正ＬＵＴ）であるカラーチャンネルは、例えば各色毎に０〜１００パーセントまでのどの程度の強さで露光するかの情報をテーブル化したものであり、複数種のテーブルが変わることで、色の再現の仕方が変わる。
【０１７４】
なお、ＬＵＴの露光量は自動的に設定される構成としても、例えばＬＵＴの内容を表示部２６上に表示してＬＵＴの内容を必要に応じて任意に変更できるように構成したとても構わない。
【０１７５】
そして、ＬＵＴは、例えば、印刷の基準色すなわちＹ（イエロー）、Ｍ（マゼンタ）、Ｃ（シアン）、Ｂ（ブルー）、Ｇ（グリーン）、Ｒ（レッド）、ＢＫ（ブラック）、ＧＹ（グレイ）及びＷ（ホワイト）と、それら基準色を感光材料に露光する光源の光すなわちＲ（レッド）、Ｇ（グリーン）、Ｂ（ないしはＩＲ（赤外））の強度組成との対応を規定するデータを記憶している。
【０１７６】
また、印刷物のＹ，Ｍ，Ｃ，Ｋインクの色あいは、印刷に使用するインクの銘柄等によって異なるので、基準色Ｙ〜Ｗに対応するレーザＲ，Ｇ，ＩＲの強度組成をインクあるいはユーザーの好みに応じて設定する（カラーコレクション）ようにできるが、特に本例においては、カラープルーフが出力される出力順序に応じて自動的に設定されるように構成することが好ましい。これにより、細かな設定を要しない。
【０１７７】
なお、カラーコレクションを手動で設定する場合には、表示部２６上で、例えばカラーコレクション設定画面にて、１つのチャンネル例えばチャンネル１のＬＵＴデータとテンキーを含む画面を表示することが好ましい。ＬＵＴデータの数値は、デフォルト状態では標準的な値となっている。この画面上で、特定の印刷条件やベタ調整の可否等を選択して所望のＬＵＴを表示させる。さらに、ＬＵＴにおいて、所望の基準色ないしはその他の基準色を選択し、それに対応するレーザの強度組成値を調整変更してもよい。これにより画像記録装置２０の特性、例えばインクの色に忠実な色調を得ることができる。
【０１７８】
そして、１つのチャンネルにつき全ての基準色の調節を終えたら、順次次のチャンネルのカラーコレクション（例えば、他の種類の感光材料等）を、必要に応じ設定する。
【０１７９】
また、印刷媒体の地色すなわち印刷用紙の地色が感光材料の地色と異なるときは、基準色の色をそれに合わせて自動的に変更されることが好ましい。このようにして、インクの色合いに加えて印刷用紙の地色等にも適応したカラープルーフを作成することができる。
【０１８０】
カラープルーフの作成時には、印刷時に用いるインク及び用紙に対応した色補正ＬＵＴを用いる。そのために、用紙等が設定されると、カラープルーフ作成に用いるＬＵＴのチャンネルを、自動的に確定する構成とすることが好ましい。
【０１８１】
図４に説明を戻すと、上記のような構成を有する画像記録装置２０において、装置使用者は、表示部２６に表示形成される（特定の画面展開に従って表示される設定画面である）第１の設定手段２６ａにより各色版の重ね順（色版出力順序）を例えばＹ→Ｍ→Ｃのように設定する。このような情報は、出力順序設定情報２８ｃとして記憶部２８に格納される。
【０１８２】
さらに、感光材料がダイレクトポジ方式であるのか、あるいはネガ方式であるのかといった設定項目などの設定を行う。
【０１８３】
この際、例えば感光材料がポジ方式で特にカラーコレクションテーブル２８ａの設定変更を所望しない場合には、デフォルトで設定されている標準的なＲＧＢ光源の露光量が選択されることとなる。つまり、前記色版出力順序に対応する露光量を前記カラーコレクションテーブル２８ａを参照することにより算出されることとなる。
【０１８４】
一方、カラーコレクションテーブル２８ａの露光量情報の変更を希望する場合には、他の設定画面に移行して第２の設定手段２６ｂによりカラーチャンネル設定を行う。ここで、例えば感光材料がダイレクトポジ方式のものである場合には、当該ポジ方式に対応したカラーコレクションテーブル２８ａに基づいて、デフォルトで設定されている標準的な数値で表されたカラーコレクション設定画面が表示されることとなる。
【０１８５】
そして、例えばＹ→Ｍ→Ｃの重ね順（色版出力順序）に設定されている項目のＲＧＢの各光源の各露光量など数値の微調整を行う。なお、デフォルトの設定段階で既に、Ｙ→Ｍ→Ｃや、Ｃ→Ｍ→Ｙなどの重ね順（色版出力順序）の相違に応じてある程度の異なる数値が設定されていることが好ましい。
【０１８６】
このようにして設定入力された情報は、デフォルトで設定されているものが書き換えられることでカラーコレクションテーブル２８ａとして記憶部２８に記憶されることとなる。
【０１８７】
このようにして設定が行われた後に、装置使用者が所定の操作指示を行うことにより、演算手順制御手段２９ｃは、例えば、出力順序、光量値の演算等の手順に従って、補正演算処理部２９内の各部を制御する。
【０１８８】
具体的には、出力順序情報取得手段２９ａは、記憶部２８に格納された出力順序設定情報２８ｃを取得し、次いで光量演算処理手段２９ｂは、前記出力順序情報取得手段２９ａにて取得された出力順序設定情報２８ｃや感光材料のタイプなどの設定情報に基づいて、対応するタイプ例えばポジ方式のカラーコレクションテーブル２８ａを参照し、対応する重ね順（色版出力順序）に対応するＲＧＢの各光源の露光量情報を取得することで光量演算処理を行うこととなる。
【０１８９】
このようにして、露光量が決定されると、後は露光部２３により露光を行い、現像処理等を行ってカラープルーフを出力することとなる。
【０１９０】
なお、カラーコレクションテーブルは、ある一つのターゲット（例えばアート紙）に関するテーブルであることから、他のコート紙や上質紙についても、さらには、ある種類のインクを用いた場合や、他の種類のインクを用いた場合、くわえてある印刷条件によるもの等各々の場合について各テーブルを用意しておくことが好ましい。このように構成することにより、例えば、表示画面上の不図示の印刷環境条件設定手段によって、例えば、コート紙、インクＡ等に設定することにより、対応するテーブルが選択され、この選択されたテーブルを用いて露光が行われることにより、ターゲットに適合した網点の出力を行うこともできる。
【０１９１】
（出力順序の設定画面について）
図１０には、画像記録装置の設定を行うための設定画面の画面レイアウトの一例が開示されている。すなわち、表示部にて各種のパラメータを設定するときの設定画面を示す。この設定画面は、特定の画面展開に従って表示されることとなる。
【０１９２】
図１０に示すように、設定画面５００は、前記第１の設定手段２６ａに相当し、各パラメータの設定条件を表示部において設定するための画面であり、出力される色版例えばＹ、Ｍ、Ｃ、Ｋ、特１、特２等の出力色版を選択的に設定するための出力色版設定部５３０と、ファイル情報出力の態様やネガポジ等を設定するためのファイル情報出力設定部５４０と、色版データ例えばＹ、Ｍ、Ｃ、Ｋ、特１、特２等の出力順序を設定するための出力順序設定部５５０と、設定を登録するための設定ボタン５７０、設定をキャンセルするためのキャンセルボタン５７２等が形成されている。
【０１９３】
出力色版設定部５３０では、図の画面では、Ｙ、Ｍ、Ｃ、Ｋ、特１、特２の６つについてのみの指定を行う例を開示しているが、それ以上、例えば特色については、任意に設定できるように構成してもよい。
【０１９４】
ファイル情報出力設定部５４０が形成されている表示エリアには、この他、ミラーのオンオフを設定するためのミラーオンオフ設定部、ネガポジを設定するためのネガポジ設定部、などが形成されている。
【０１９５】
出力順序設定部５５０では、色版データ例えばＹ（イエロー）、Ｍ（マゼンダ）、Ｃ（シアン）、Ｋ（ブラック）、特１（第１の特色）、特２（第２の特色）等の各色版データが順次出力される順番を設定することができるようになっており、Ｙ版順序設定部５５１、Ｍ版順序設定部５５２、Ｃ版順序設定部５５３、Ｋ版順序設定部５５４、特１版順序設定部５５５、特２版順序設定部５５６などが形成されている。
【０１９６】
本例においては、例えば、Ｙ版順序設定部５５１にて数値１を設定入力し、Ｍ版順序設定部５５２にて数値２を設定入力し、Ｃ版順序設定部５５３にて数値３を設定入力し、Ｋ版順序設定部５５４にて数値０を設定入力し、特１版順序設定部５５５にて数値０を設定入力し、特２版順序設定部５５６にて数値０を設定入力して設定されており、この場合、各色版の出力順序は、Ｙ→Ｍ→Ｃの順となる。
【０１９７】
なお、本例では、ＹＭＣＫの４色に特色２色を加えた６色の版の構成としたが、特色を複数色として、その各々について出力順序を設定できるように構成しても構わない。
【０１９８】
例えば、Ｙ→Ｍ→Ｃの選択を設定して出力を行うと、順次、Ｙ色の色版、Ｍ色の色版、Ｃ色の色版の順に描画され、カラープルーフを得ることとなる。なお、これらの各色版の出力順序は、予め上記出力順序設定部５５０にて設定できることとなる。
【０１９９】
ここで、本例においては、前記設定を行うと、その（重ね順）色版順序に対応するＲＧＢの各光源の露光量が前記光量演算処理手段２９ｂおよびカラーコレクションテーブル２８ａによりにより自動設定されることとなる。
【０２００】
例えば、出力順序設定部５５０において、Ｙ版順序設定部５５１にて数値３を設定入力し、Ｍ版順序設定部５５２にて数値２を設定入力し、Ｃ版順序設定部５５３にて数値１を設定入力しＫ版順序設定部５５４にて数値０を設定入力し、特１版順序設定部５５５にて数値０を設定入力し、特２版順序設定部５５６にて数値０を設定入力して設定したとすると、各色版の出力順序は、Ｃ→Ｍ→Ｙの順となり、カラーコレクションテーブル（色補正ＬＵＴ）の設定なども最適な態様となるように自動設定され、これにより、正しい出力画像（プルーファー）を得ることができる。
【０２０１】
このようにして自動設定がなされることにより、ユーザーは従来のように複雑な各設定項目を設定する必要なく、最適なプルーフを得ることができ、ユーザーの負担が低減する。
【０２０２】
これによって、従来のようにユーザーは、細かい設定項目を設定入力することなく、最良の画像を出力することができ、誤った画像描画出力を防止でき、処理時間及び紙資源使用量の低減に基づくコストダウンを図ることができる。
【０２０３】
また、印刷物の印刷の順番の指定に応じてカラーチャンネルを変えることで、露光条件を変え、再現色の色調整を行うことができる。なお、これらの設定は、ジョブ毎に変更することができる。
【０２０４】
以下、このような機能を有するための具体的な処理手順ついて説明する。
【０２０５】
（処理手順について）
（全体処理）
次に、上述のような構成を有する画像記録装置の処理手順について、図１０を参照しつつ説明する。
【０２０６】
先ず、手入力で出力したい画像データを選択する。この際、図１０に示す設定画面５００を表示させて、各種設定パラメータ（出力条件）等の設定を行うこととなる。
【０２０７】
具体的には、上述したように、例えば図１０の出力色版設定部５３０のチェック項目のうち、Ｙ、Ｍ、Ｃ、を有効とし、Ｋ、特１、特２を無効とするような設定を行う。さらに、ファイル情報出力部５４０のネガポジ設定部を「ポジ」と設定するものとする。
【０２０８】
また、出力順序設定部５５０において、Ｙ版順序設定部５５１にて数値１を設定入力し、Ｍ版順序設定部５５２にて数値２を設定入力し、Ｃ版順序設定部５５３にて数値３を設定入力し、Ｋ版順序設定部１５４にて数値０を設定入力し、特１版順序設定部１５５にて数値０を設定入力し、特２版順序設定部１５６にて数値０を設定入力するなどの設定を行う。
【０２０９】
さらに、図６に示すようなカラーコレクションテーブル２８ａを表示した設定画面を表示させ、前記出力順序設定部５５０などで設定されたＹ→Ｍ→Ｃの重ね順（色版出力順序）などに対応するＲＧＢの各発光強度の値の修正を必要に応じて行うことが好ましい。なお、修正の必要がない場合には、図６に示すような表示画面を表示させなくてもよく、デフォルトで設定される数値にて露光が行われることとなる。
【０２１０】
（演算処理）
次に、上記設定に応じた演算処理を行う。具体的には、図１１に示すように、予め指定された各色版の出力順序に関する情報を取得する（ステップ、以下「Ｓ」１０１）。この場合、記憶部２８に格納されている出力順序設定情報２８ｃを取得することとなる。
【０２１１】
例えば、画像記録装置２０の表示部２６ないしは管理装置１０側で、特定の順序例えばＹ→Ｍ→Ｃの重ね順（色版出力順序）が設定された場合には、その設定情報が前記記憶部２８の出力順序設定情報２８ｃとして格納されることとなるから、前記特定の順序例えばＹ→Ｍ→Ｃの重ね順（色版出力順序）に関する情報を取得することとなる。
【０２１２】
次いで、条件（例えばポジ方式）に合うＬＵＴ、すなわち、ポジ用のカラーコレクションテーブルを選択して、当該カラーコレクションテーブルにおいて、前記出力順序設定情報２８ｃに対応するＲＧＢの各光源の各露光量（発光強度）に関する値を算出する（Ｓ１０３）。
【０２１３】
前記特定の順序が、例えばＹ→Ｍ→Ｃの重ね順（色版出力順序）である場合には、それに対応するＲＧＢの各光源の各露光量（発光強度）に関する値が各々抽出されることとなる。
【０２１４】
そして、設定された出力順序に対応する発光強度にて露光処理を行い、カラープルーフを出力することとなる。
【０２１５】
以上のように本実施の形態によれば、各色版データの出力順序、すなわち感光材料の各発色層の重ね順を指定すると、それに応じた露光量が決定されるので、前記重ね順に応じた色調の違いをカラープルーフにおいても再現でき、正しい色調のカラープルーフを作成することができる。
【０２１６】
また、カラーコレクションテーブルにて前記重ね順に応じたＲＧＢの各光源の各露光量（発光強度）を各々設定変更することができるので、前記重ね順に応じた微妙な色調整を行うことができ、間違いなく正しいカラープルーフを作成することが可能となる。
【０２１７】
なお、本実施の形態では、画像記録装置側において出力順序やカラーコレククションの設定を行う構成としたが、出力順序の設定は管理装置側などで行い、印刷指示により画像記録装置側で予め設定されたカラーコレクションテーブルに基づき露光量が調整制御される構成としてもよい。
【０２１８】
【発明の効果】
以上説明したように本発明によれば、感光材料の層順（色版印刷順）に応じた各光源の露光量を算出できるので、重ね順に応じた微妙な色を形成でき、最適なカラープルーフを作成することができる。
【０２１９】
また、順序設定手段により層順に応じた各光源の露光量を調整することができ、重ね順に応じた微妙な色調整を行うことができ、間違いなく正しいカラープルーフを作成することが可能となる。
【０２２０】
【図面の簡単な説明】
【図１】本発明の一実施の形態にかかるカラープルーフ作成システムの全体の概略構成の一例を示すネットワーク構成図である。
【図２】カラープルーフ作成システムの管理装置および画像記録装置の詳細な構成を示す機能ブロック図である。
【図３】図１の画像記録装置の露光ユニットおよび現像ユニットの内部構成を表す断面図である。
【図４】図１の画像記録装置のさらに詳細な構成を示す機能ブロック図である。
【図５】図１の画像記録装置の露光部の制御系の構成を示すブロック図である。
【図６】画像記録装置にて利用されるＬＵＴの構成例の一例を示す説明図である。
【図７】ポジ感光材料の感度に関する特性曲線（濃度特性曲線）を示す説明図である。
【図８】画像記録装置にて利用されるＬＵＴの構成例の一例を示す説明図である。
【図９】ネガ感光材料の感度に関する特性曲線（濃度特性曲線）を示す説明図である。
【図１０】出力順序を設定するための設定画面の表示態様の一例を示す説明図である。
【図１１】本発明の一実施の形態に係るカラープルーフ作成システムにおける処理手順の一例を示すフローチャートである。
【符号の説明】
１  カラープルーフ作成システム
２  上流端末（情報端末）
３  画像処理装置
４  サブホスト
５  ホスト
１０  管理装置
１１  入力部
１２  データ処理部
１３  転送制御部
１４  記憶部
１５  操作部
１６  表示部
１８  管理制御部
２０  画像記録装置
２１  通信制御部
２２  情報一時格納部
２３  露光部
２４  現像部
２５  排紙部
２６  表示部
２６ａ  第１の設定手段
２６ｂ  第２の設定手段
２７  操作部
２９  補正演算処理部
２８  記憶部
２８ａ  カラーコレクションテーブル
２８ｃ  出力順序設定情報
３０  制御部
４０  露光ユニット
５０  現像処理ユニット
Ｎ１、Ｎ２、Ｎ３、Ｎ４  ネットワーク（通信網）
【図１】
2004170493.tif 000003
【図２】
2004170493.tif 000004
【図３】
2004170493.tif 000005
【図４】
2004170493.tif 000006
【図５】
2004170493.tif 000007
【図６】
2004170493.tif 000008
【図７】
2004170493.tif 000009
【図８】
2004170493.tif 000010
【図９】
2004170493.tif 000011
【図１０】
2004170493.tif 000012
【図１１】
2004170493.tif 000013